(57)【要約】  自動テンショニングシステムを備えた製品は、締めひもガイドアセンブリを含む。締めひもガイドアセンブリは、下方ガイド部材と、テンショニング部材を通すためのチャネルを含む２つの上方ガイド部材とを含む。アッパーのストラップは、２つの上方ガイド部材に取り付けられている。テンショニング部材がテンショニングデバイス内へと引っ張られる際に、２つの上方ガイド部材は、下方ガイド部材に向かって引っ張られる。このことがストラップを引き寄せて、足の周りでアッパーを締め付けるように作用する。
2019509823.tif 000002
【特許請求の範囲】
【請求項１】
第１の側部と第２の側部とを含むアッパーであって、前記第１の側部および前記第２の側部は、スロート開口部によって前記アッパーのスロートにおいて離間され、前記第１の側部は、それらの間に内部キャビティを形成する内側層と外側層とで構成される、アッパーと、
前記アッパーに対して取り付けられたソール構造と、
前記内側層と前記外側層との間の前記第１の側部内に前記ソール構造に近接して配置された下方ガイド部材と、
前記内側層と前記外側層との間の前記第１の側部内に前記下方ガイド部材よりも前記スロート開口部に近接して配置された第１の上方ガイド部材と、
前記内側層と前記外側層との間の前記第１の側部内に前記下方ガイド部材よりも前記スロート開口部に近接して配置された第２の上方ガイド部材と、
ストラップ部材の第１のセットおよびストラップ部材の第２のセットであって、前記ストラップ部材の第１のセットは、各々が、一方の端部において前記第２の側部に取り付けられ、反対側の端部において前記第１の上方ガイド部材に取り付けられている複数のストラップ部材を含み、前記ストラップ部材の第２のセットは、各々が、一方の端部において前記第２の側部に取り付けられ、反対側の端部において前記第２の上方ガイド部材に取り付けられている複数のストラップ部材を含む、ストラップ部材の第１のセットおよびストラップ部材の第２のセットと、
前記下方ガイド部材から前記第１の上方ガイド部材まで、および前記第１の上方ガイド部材から前記下方ガイド部材まで戻るように通されたテンショニング部材であって、前記テンショニング部材はさらに、前記下方ガイド部材の距離に沿って、前記第２の上方ガイド部材まで、および前記第２の上方ガイド部材から前記下方ガイド部材まで戻るように通されるテンショニング部材と、
を備え、
前記テンショニング部材の少なくとも１つのセグメントは、前記下方ガイド部材から前記内部キャビティの外部の位置まで通され、
前記第１の上方ガイド部材は、履物製品の長手方向軸に関する第１の長手方向位置を有し、および前記第２の上方ガイド部材は、前記長手方向軸に関する第２の長手方向位置を有し、
前記下方ガイド部材の少なくとも一部は、前記第１の長手方向位置から前記長手方向軸に沿って前記第２の長手方向位置まで延びている、履物製品。
【請求項２】
前記下方ガイド部材は、
下方ベース部と、第１の下方ガイドチャネルと、第２の下方ガイドチャネルと、第３の下方ガイドチャネルとを含み、前記下方ベース部は、前記アッパーに直接取り付けられ、前記第２の下方ガイドチャネルは、前記下方ガイド部材の設定された前記距離に沿って延び、各下方ガイドチャネルは、前記下方ベース部に取り付けられるとともに前記テンショニング部材の下方ガイドチャネルセグメントを収容する、
請求項１に記載の履物製品。
【請求項３】
前記第１の上方ガイド部材は、第１の上方ベース部および第１の上方ガイドチャネルを含み、前記第１の上方ベース部は、前記ストラップ部材の第１のセットに直接取り付けられ、前記第１の上方ガイドチャネルは、前記テンショニング部材の第１の上方ガイドチャネルセグメントを収容し、
前記第２の上方ガイド部材は、第２の上方ベース部および第２の上方ガイドチャネルを含み、前記第２の上方ベース部は、前記ストラップ部材の第２のセットに直接取り付けられ、前記第２の上方ガイドチャネルは、前記テンショニング部材の第２の上方ガイドチャネルセグメントを収容する、
請求項２に記載の履物製品。
【請求項４】
前記テンショニング部材は、第１のセグメントと、第２のセグメントと、第３のセグメントと、第４のセグメントと、第５のセグメントと、第６のセグメントと、第７のセグメントと、第８のセグメントと、第９のセグメントと、第１０のセグメントと、第１１のセグメントとを含み、
前記第１のセグメントは前記内部キャビティの外部から前記下方ガイド部材の前記第１の下方ガイドチャネルまで延び、
前記第２のセグメントは前記第１の下方ガイドチャネルを通って延び、
前記第３のセグメントは前記第１の下方ガイドチャネルから前記第１の上方ガイド部材の前記第１の上方ガイドチャネルまで延び、
前記第４のセグメントは前記第１の上方ガイドチャネルを通って延び、
前記第５のセグメントは前記第１の上方ガイドチャネルから前記下方ガイド部材の前記第２の下方ガイドチャネルまで延び、
前記第６のセグメントは前記第２の下方ガイドチャネルを通って延び、
前記第７のセグメントは前記下方ガイド部材の前記第２の下方ガイドチャネルから前記第２の上方ガイド部材の前記第２の上方ガイドチャネルまで延び、
前記第８のセグメントは前記第２の上方ガイドチャネルを通って延び、
前記第９のセグメントは前記第２の上方ガイド部材の前記第２の上方ガイドチャネルから前記下方ガイド部材の前記第３の下方ガイドチャネルまで延び、
前記第１０のセグメントは前記第３の下方ガイドチャネルを通って延び、
前記第１１のセグメントは前記第３の下方ガイドチャネルから前記内部キャビティの外部の前記位置まで延びている、
請求項３に記載の履物製品。
【請求項５】
前記テンショニング部材に張力を印加することは、前記第１の上方ガイド部材および前記第２の上方ガイド部材を前記下方ガイド部材に向かって引っ張り、前記第１の上方ガイド部材が前記下方ガイド部材に向かって動く際に、前記ストラップ部材の第１のセットが、前記ストラップ部材の第１のセットに隣接する前記スロート開口部の一部を締め付け、
前記第２の上方ガイド部材が前記下方ガイド部材に向かって動く際に、前記ストラップ部材の第２のセットが、前記ストラップ部材の第２のセットに隣接する前記スロート開口部の一部を締め付ける、
請求項１に記載の履物製品。
【請求項６】
前記アッパーの前記第２の側部から前記第１の上方ガイド部材まで延びている弾性バンド部材の第１のセットと、前記アッパーの前記第２の側部から前記第２の上方ガイド部材まで延びている弾性バンド部材の第２のセットとをさらに備え、前記弾性バンド部材の第１のセットおよび前記弾性バンド部材の第２のセットの各弾性バンドは、前記ストラップ部材の第１のセットおよび前記ストラップ部材の第２のセットが締め付けられる際に伸張する、請求項１に記載の履物製品。
【請求項７】
前記弾性バンド部材の第１のセットは、前記第１の上方ガイド部材を前記下方ガイド部材から離れる方に付勢し、前記弾性バンド部材の第２のセットは、前記第２の上方ガイド部材を前記下方ガイド部材から離れる方に付勢する、請求項６に記載の履物製品。
【請求項８】
前記内側層の表面はポリテトラフルオロエチレンからなる、請求項１に記載の履物製品。
【請求項９】
前記外側層の表面はポリテトラフルオロエチレンからなる、請求項１に記載の履物製品。
【請求項１０】
第１の側部と第２の側部とを含むアッパーであって、前記第１の側部および前記第２の側部は、スロート開口部によって前記アッパーのスロートに沿って離間され、前記第１の側部は、内側層と外側層とで構成され、前記内側層と前記外側層は、それらの間に内部キャビティを形成している、アッパーと、
ソール構造であって、前記アッパーが前記ソール構造に対して取り付けられているソール構造と、
前記内側層と前記外側層との間の前記第１の側部内に前記ソール構造に近接して配置された下方ガイド部材と、
前記内側層と前記外側層との間の前記第１の側部内に配置された上方ガイド部材であって、前記上方ガイド部材が、前記下方ガイド部材よりも前記スロート開口部に近接して配置される上方ガイド部材と、
ストラップ部材のセットであって、各ストラップ部材が、一方の端部において前記アッパーの前記第２の側部に取り付けられ、反対側の端部において前記上方ガイド部材に取り付けられる、ストラップ部材のセットと、
テンショニング部材と、
テンショニングデバイスであって、
モータと、
前記モータと結合されたリール部材であって、前記テンショニング部材の少なくとも一部は前記リール部材に取り付けられ且つ前記モータを用いて前記リール部材に巻き取ることができ、前記テンショニング部材は前記テンショニングデバイスの前記リール部材から始まって前記下方ガイド部材および前記上方ガイド部材を通る経路に沿って通されるリール部材と、
を備えるテンショニングデバイスと、
を備える、履物製品。
【請求項１１】
前記上方ガイド部材は第１の上方ガイド部材であり、前記履物製品は、前記ストラップ部材のセットの１つ以上のストラップ部材に取り付けられた第２の上方ガイド部材をさらに含み、
前記第１の上方ガイド部材は、前記履物製品の長手方向軸に関する第１の長手方向位置を有し、前記第２の上方ガイド部材は、前記長手方向軸に関する第２の長手方向位置を有し、
前記下方ガイド部材の少なくとも一部は、前記第１の長手方向位置から前記長手方向軸に沿って前記第２の長手方向位置まで延びている、請求項１０に記載の履物製品。
【請求項１２】
前記テンショニングデバイスは、前記内部キャビティの外部に配置される、請求項１０に記載の履物製品。
【請求項１３】
前記テンショニングデバイスは、前記アッパーの一部に取り付けられる、請求項１０に記載の履物製品。
【請求項１４】
前記テンショニングデバイスは、前記ソール構造の一部内に配置される、請求項１０に記載の履物製品。
【請求項１５】
前記下方ガイド部材から前記テンショニングデバイスまで延びている第１のガイドチューブと、
前記下方ガイド部材から前記テンショニングデバイスまで延びている第２のガイドチューブと、
をさらに備える、請求項１０に記載の履物製品。
【請求項１６】
前記第２の側部から前記上方ガイド部材まで延びている弾性バンド部材のセットをさらに備え、前記弾性バンド部材のセットの各弾性バンド部材は、前記ストラップ部材のセットが締め付けられる際に伸張する、請求項１０に記載の履物製品。
【請求項１７】
前記弾性バンド部材のセットは、前記上方ガイド部材を前記下方ガイド部材から離れる方に付勢する、請求項１６に記載の履物製品。
【請求項１８】
前記弾性バンド部材のセットが、前記テンショニング部材のセグメントを前記テンショニングデバイスの前記リール部材から引っ張ることを補助する、請求項１７に記載の履物製品。
【請求項１９】
スロートと、第１の側部と、スロート開口部によって前記スロートに沿って前記第１の側部から離間された第２の側部とを含むアッパーであって、前記第１の側部は、
内側層と、
前記内側層との間に内部キャビティを形成している外側層と、
で構成される、アッパーと、
ソール構造であって、前記ソール構造と前記アッパーとが、着用者の足を収容するための内部空洞を形成し、前記内側層は、前記外側層と比較して前記内部空洞に近接している、ソール構造と、
前記アッパーの前記第１の側部と前記第２の側部との間に前記スロート開口部にわたって取り付けられた複数のストラップ部材と、
前記内部キャビティの内部に配置された締めひもガイドアセンブリであって、前記締めひもガイドアセンブリは下方ガイド部材および上方ガイド部材を含み、前記上方ガイド部材は前記複数のストラップ部材に取り付けられる、締めひもガイドアセンブリと、
前記下方ガイド部材および前記上方ガイド部材を通って延びているテンショニング部材と、
を備え、前記テンショニング部材に張力を印加することは、前記複数のストラップ部材のそれぞれ１つに張力を印加する、
履物製品。
【請求項２０】
前記上方ガイド部材は、前記複数のストラップ部材の第１のサブセットに取り付けられた第１の上方ガイド部材と、前記第１のサブセットとは異なる前記複数のストラップ部材の第２のサブセットに取り付けられた第２の上方ガイド部材とを備える、請求項１９に記載の履物製品。
【請求項２１】
前記テンショニング部材に張力を印加することは、前記第１の上方ガイド部材および前記第２の上方ガイド部材を前記下方ガイド部材に向かって引っ張り、前記第１の上方ガイド部材が前記下方ガイド部材に向かって動く際に、前記ストラップ部材の第１のセットが、前記ストラップ部材の第１のセットに隣接する前記スロート開口部の一部を締め付け、
前記第２の上方ガイド部材が前記下方ガイド部材に向かって動く際に、前記ストラップ部材の第２のセットが、前記ストラップ部材の第２のセットに隣接する前記スロート開口部の一部を締め付ける、請求項２０に記載の履物製品。
【請求項２２】
前記第１の上方ガイド部材は、前記履物製品の長手方向軸に関する第１の長手方向位置を有し、前記第２の上方ガイド部材は、前記長手方向軸に関する第２の長手方向位置を有し、
前記下方ガイド部材の少なくとも一部は、前記第１の長手方向位置から前記長手方向軸に沿って前記第２の長手方向位置まで延びている、請求項２０および請求項２１のいずれか一項に記載の履物製品。
【請求項２３】
前記下方ガイド部材は、
下方ベース部と、第１の下方ガイドチャネルと、第２の下方ガイドチャネルと、第３の下方ガイドチャネルとを備え、前記下方ベース部は、前記アッパーに直接取り付けられ、前記第２の下方ガイドチャネルは、前記下方ガイド部材の設定された長手方向距離に沿って延び、各下方ガイドチャネルは、前記下方ベース部に取り付けられるとともに前記テンショニング部材の下方ガイドチャネルセグメントを収容する、請求項２０および請求項２１のいずれか一項に記載の履物製品。
【請求項２４】
前記アッパーの前記第２の側部から前記第１の上方ガイド部材まで延びている弾性バンド部材の第１のセットと、前記アッパーの前記第２の側部から前記第２の上方ガイド部材まで延びている弾性バンド部材の第２のセットとをさらに備え、前記弾性バンド部材の第１のセット内および前記弾性バンド部材の第２のセット内の各弾性バンドは、前記ストラップ部材の第１のセットおよび前記ストラップ部材の第２のセットが締め付けられる際に伸張する、請求項２０および請求項２１のいずれか一項に記載の履物製品。
【請求項２５】
前記弾性バンド部材の第１のセットは、前記第１の上方ガイド部材を前記下方ガイド部材から離れる方に付勢し、前記弾性バンド部材の第２のセットは、前記第２の上方ガイド部材を前記下方ガイド部材から離れる方に付勢する、請求項２４に記載の履物製品。
【請求項２６】
アッパーに対してソール構造を取り付けることであって、前記アッパーは第１の側部と第２の側部とを含み、前記第１の側部および前記第２の側部はスロート開口部によって前記アッパーのスロートにおいて離間され、前記第１の側部は、それらの間に内部キャビティを形成する内側層と外側層とで構成されることと、
前記内側層と前記外側層との間の前記第１の側部内に前記ソール構造に近接して下方ガイド部材を配置することと、
前記内側層と前記外側層との間の前記第１の側部内に前記下方ガイド部材よりも前記スロート開口部に近接して、第１の上方ガイド部材を配置することと、
前記内側層と前記外側層との間の前記第１の側部内に前記下方ガイド部材よりも前記スロート開口部に近接して、第２の上方ガイド部材を配置することと、
ストラップ部材の第１のセットのストラップ部材を、一方の端部において前記第２の側部に取り付け、反対側の端部において前記第１の上方ガイド部材に取り付けることと、
ストラップ部材の第２のセットのストラップ部材を、一方の端部において前記第２の側部に取り付け、反対側の端部において前記第２の上方ガイド部材に取り付けることと、
テンショニング部材を、前記下方ガイド部材から前記第１の上方ガイド部材まで通し、前記第１の上方ガイド部材から前記下方ガイド部材に戻して前記下方ガイド部材の距離に沿わせ、前記第２の上方ガイド部材まで通し、前記第２の上方ガイド部材から前記下方ガイド部材へ戻すように通すことと、
を含み、
前記テンショニング部材の少なくとも１つのセグメントが、前記下方ガイド部材から前記内部キャビティの外部の位置まで通され、
前記第１の上方ガイド部材が、履物製品の長手方向軸に関する第１の長手方向位置を有し、および前記第２の上方ガイド部材が、前記長手方向軸に関する第２の長手方向位置を有し、
前記下方ガイド部材の少なくとも一部が、前記第１の長手方向位置から前記長手方向軸に沿って前記第２の長手方向位置まで延びている、
方法。
【請求項２７】
前記下方ガイド部材は、
下方ベース部と、第１の下方ガイドチャネルと、第２の下方ガイドチャネルと、第３の下方ガイドチャネルとを含み、前記下方ベース部は前記アッパーに直接取り付けられ、前記第２の下方ガイドチャネルは前記下方ガイド部材の設定された前記距離に沿って延び、
前記下方ガイド部材を配置することは、各下方ガイドチャネルを前記下方ベース部に取り付けることをさらに含み、
前記テンショニング部材を通すことは、前記テンショニング部材の下方ガイドチャネルセグメントを前記下方ガイドチャネル内に収容することをさらに含む、
請求項２６に記載の方法。
【請求項２８】
前記第１の上方ガイド部材は第１の上方ベース部と第１の上方ガイドチャネルとを含み、前記ストラップ部材の第１のセットを取り付けることは前記ストラップ部材の第１のセットを前記第１の上方ベース部に直接取り付けることを含み、
前記テンショニング部材を通すことは前記テンショニング部材の第１の上方ガイドチャネルセグメントを前記第１の上方ガイドチャネル内に収容することを含み、
前記第２の上方ガイド部材は第２の上方ベース部と第２の上方ガイドチャネルとを含み、前記ストラップ部材の第２のセットを固定することは前記ストラップ部材の第２のセットを前記第２の上方ベース部に直接取り付けることを含み、
前記テンショニング部材を通すことは、前記テンショニング部材の第２のガイドチャネルセグメントを前記第２の上方ガイドチャネルに収容することを含む、
請求項２７に記載の方法。
【請求項２９】
前記テンショニング部材は、第１のセグメントと、第２のセグメントと、第３のセグメントと、第４のセグメントと、第５のセグメントと、第６のセグメントと、第７のセグメントと、第８のセグメントと、第９のセグメントと、第１０のセグメントと、第１１のセグメントとを含み、前記テンショニング部材を通すことは、
前記第１のセグメントを前記内部キャビティの外部から前記下方ガイド部材の前記第１の下方ガイドチャネルまで延ばすことと、
前記第２のセグメントを前記第１の下方ガイドチャネルを通して延ばすことと、
前記第３のセグメントを前記第１の下方ガイドチャネルから前記第１の上方ガイド部材の前記第１の上方ガイドチャネルまで延ばすことと、
前記第４のセグメントを前記第１の上方ガイドチャネルを通して延ばすことと、
前記第５のセグメントを前記第１の上方ガイドチャネルから前記下方ガイド部材の前記第２の下方ガイドチャネルまで延ばすことと、
前記第６のセグメントを前記第２の下方ガイドチャネルを通して延ばすことと、
前記第７のセグメントを前記下方ガイド部材の前記第２の下方ガイドチャネルから前記第２の上方ガイド部材の前記第２の上方ガイドチャネルまで延ばすことと、
前記第８のセグメントを前記第２の上方ガイドチャネルを通して延ばすことと、
前記第９のセグメントを前記第２の上方ガイド部材の前記第２の上方ガイドチャネルから前記下方ガイド部材の前記第３の下方ガイドチャネルまで延ばすことと、
前記第１０のセグメントを前記第３の下方ガイドチャネルを通して延ばすことと、
前記第１１のセグメントを前記第３の下方ガイドチャネルから前記内部キャビティの外部の前記位置まで延ばすことと、
を含む、請求項２８に記載の方法。
【請求項３０】
前記第１の上方ガイド部材および前記第２の上方ガイド部材を前記下方ガイド部材に向けて引っ張るように、前記テンショニング部材に張力を印加することをさらに含み、
前記第１の上方ガイド部材が前記下方ガイド部材に向かって動く際に、前記ストラップ部材の第１のセットが、前記ストラップ部材の第１のセットに隣接する前記スロート開口部の一部を締め付け、
前記第２の上方ガイド部材が前記下方ガイド部材に向かって動く際に、前記ストラップ部材の第２のセットが、前記ストラップ部材の第２のセットに隣接する前記スロート開口部の一部を締め付ける、請求項２６に記載の方法。
【請求項３１】
弾性バンド部材の第１のセットを、前記アッパーの前記第２の側部と前記第１の上方ガイド部材との間に取り付けることと、
弾性バンド部材の第２のセットを、前記アッパーの前記第２の側部と前記第２の上方ガイド部材との間に取り付けることとをさらに含み、
前記弾性バンド部材の第１のセット内および前記弾性バンド部材の第２のセット内の各弾性バンドは、前記ストラップ部材の第１のセットおよび前記ストラップ部材の第２のセットが締め付けられる際に伸張する、請求項２６に記載の方法。
【請求項３２】
前記弾性バンド部材の第１のセットは、前記第１の上方ガイド部材を前記下方ガイド部材から離れる方に付勢し、前記弾性バンド部材の第２のセットは、前記第２の上方ガイド部材を前記下方ガイド部材から離れる方に付勢する、請求項３１に記載の方法。
【請求項３３】
アッパーに対してソール構造を取り付けることであって、前記アッパーは第１の側部と第２の側部とを含み、前記第１の側部および前記第２の側部はスロート開口部によって前記アッパーのスロートに沿って離間され、前記第１の側部は内側層と外側層とで構成され、前記内側層と前記外側層とはそれらの間に内部キャビティを形成していることと、
下方ガイド部材を、前記内側層と前記外側層との間の前記第１の側部内に前記ソール構造に近接して配置することと、
上方ガイド部材を、前記内側層と前記外側層との間の前記第１の側部内に配置することであって、前記上方ガイド部材が前記下方ガイド部材よりも前記スロート開口部に近接して配置されることと、
ストラップ部材のセットの各ストラップ部材を、一方の端部において前記アッパーの前記第２の側部に取り付けることと、
前記ストラップ部材のセットの各ストラップ部材を、反対側の端部において前記上方ガイド部材に取り付けることと、
モータを用いてテンショニング部材をリール部材に巻き取ることができるように、前記テンショニング部材を前記モータに結合された前記リール部材に取り付けることと、
前記テンショニング部材を、前記リール部材で始まって前記下方ガイド部材および前記上方ガイド部材を通る経路に沿って通すことと、
を含む、方法。
【請求項３４】
前記上方ガイド部材が第１の上方ガイド部材であり、
第２の上方ガイド部材を、前記ストラップ部材のセットの１つ以上のストラップ部材に取り付けることをさらに含み、
前記第１の上方ガイド部材は、履物製品の長手方向軸に関する第１の長手方向位置を有し、前記第２の上方ガイド部材は、前記長手方向軸に関する第２の長手方向位置を有し、
前記下方ガイド部材の少なくとも一部は、前記第１の長手方向位置から前記長手方向軸に沿って前記第２の長手方向位置まで延びている、
請求項３３に記載の方法。
【請求項３５】
前記リール部材及び前記モータはテンショニングデバイスの構成要素であり、前記テンショニングデバイスを前記内部キャビティの外部に配置することをさらに含む、請求項３３に記載の方法。
【請求項３６】
前記リール部材及び前記モータはテンショニングデバイスの構成要素であり、
前記テンショニングデバイスを前記アッパーの一部に取り付けることをさらに含む、請求項３３〜請求項３５のいずれか一項に記載の方法。
【請求項３７】
前記リール部材及び前記モータはテンショニングデバイスの構成要素であり、
前記テンショニングデバイスを、前記ソール構造の一部内に取り付けることをさらに含む、請求項３３〜請求項３５のいずれか一項に記載の方法。
【請求項３８】
前記リール部材及び前記モータはテンショニングデバイスの構成要素であり、
第１のガイドチューブを前記下方ガイド部材から前記テンショニングデバイスまで延ばすことと、
第２のガイドチューブを前記下方ガイド部材から前記テンショニングデバイスまで延ばすことと、
をさらに含む、請求項３３〜請求項３５のいずれか一項に記載の方法。
【請求項３９】
弾性バンド部材のセットを前記第２の側部から前記上方ガイド部材まで延ばすことをさらに含み、前記弾性バンド部材のセットの各弾性バンド部材は、前記ストラップ部材のセットが締め付けられる際に伸張する、請求項３３〜請求項３５のいずれか一項に記載の方法。
【請求項４０】
前記弾性バンド部材のセットは、前記上方ガイド部材を前記下方ガイド部材から離れる方に付勢する、請求項３９に記載の方法。
【請求項４１】
前記弾性バンド部材のセットが、前記テンショニング部材のセグメントをテンショニングデバイスの前記リール部材から引っ張ることを補助する、請求項４０に記載の方法。
【請求項４２】
ソール構造をアッパーに取り付けることであって、前記アッパーが、スロートと、第１の側部と、スロート開口部によって前記スロートに沿って前記第１の側部から離間された第２の側部とを含み、前記第１の側部は、
内側層と、
前記内側層との間に内部キャビティを形成している外側層と、
前記ソール構造と前記アッパーとが、着用者の足を収容するための内部空洞を形成し、前記内側層が、前記外側層と比較して前記内部空洞に近接している、取り付けることと、
複数のストラップ部材を、前記アッパーの前記第１の側部と前記第２の側部との間に、および前記スロート開口部を覆って取り付けることと、
締めひもガイドアセンブリを前記内部キャビティの内部に配置することであって、前記締めひもガイドアセンブリが、下方ガイド部材および上方ガイド部材を含み、前記上方ガイド部材は、前記複数のストラップ部材に取り付けられることと、
テンショニング部材を前記下方ガイド部材および前記上方ガイド部材を通して延ばすことと、
を含み、張力を前記テンショニング部材に印加することは、前記複数のストラップ部材のそれぞれ１つに張力を印加する、方法。
【請求項４３】
前記締めひもガイドアセンブリを配置することは、
前記上方ガイド部材の第１の上方ガイド部材を、前記複数のストラップ部材の第１のサブセットに取り付けることと、
前記上方ガイド部材の第２の上方ガイド部材を、前記第１のサブセットとは異なる前記複数のストラップ部材の第２のサブセットに取り付けることと、
をさらに含む、請求項４２に記載の方法。
【請求項４４】
前記第１の上方ガイド部材を取り付けることは、前記第１の上方ガイド部材を、履物製品の長手方向軸に関する第１の長手方向位置に取り付けし、前記第２の上方ガイド部材を取り付けることは、前記第２の上方ガイド部材を、前記長手方向軸に関する第２の長手方向位置に取り付けし、
前記下方ガイド部材の少なくとも一部は、前記第１の長手方向位置から前記長手方向軸に沿って前記第２の長手方向位置まで延びている、請求項４３に記載の方法。
【請求項４５】
前記下方ガイド部材は、
下方ベース部と、第１の下方ガイドチャネルと、第２の下方ガイドチャネルと、第３の下方ガイドチャネルとを備え、前記締めひもガイドアセンブリを配置することは、
前記下方ベース部を前記アッパーに直接取り付けることと、
前記第２の下方ガイドチャネルを、前記下方ガイド部材の設定された長手方向距離に沿って延ばすことと、
各下方ガイドチャネルを前記下方ベース部に取り付けることとをさらに含み、
前記テンショニング部材を延ばすことは、各下方ガイドチャネル内に、前記テンショニング部材の下方ガイドチャネルセグメントを収容することをさらに含む、請求項４２〜請求項４４のいずれか一項に記載の方法。
【請求項４６】
弾性バンド部材の第１のセットを、前記アッパーの前記第２の側部から第１の上方ガイド部材まで延ばし、および弾性バンド部材の第２のセットを、前記アッパーの前記第２の側部から第２の上方ガイド部材まで延ばすことをさらに含み、前記弾性バンド部材の第１のセット内および前記弾性バンド部材の第２のセット内の各弾性バンドは、前記ストラップ部材の第１のセットおよび前記ストラップ部材の第２のセットが締め付けられる際に伸張する、請求項４２に記載の方法。
【請求項４７】
前記弾性バンド部材の第１のセットは、前記第１の上方ガイド部材を前記下方ガイド部材から離れる方に付勢し、前記弾性バンド部材の第２のセットは、前記第２の上方ガイド部材を前記下方ガイド部材から離れる方に付勢する、請求項４６に記載の方法。
【発明の詳細な説明】
【技術分野】
【０００１】
本願明細書に開示されている主題は、一般に、ガイドアセンブリを備えた履物テンショニングシステムに関する。
【背景技術】
【０００２】
履物製品は、一般に、２つの主要な要素、すなわち、アッパーおよびソール構造を含んでいる。アッパーは、足を快適かつ確実に収容するための空洞を履物内に形成するために、縫製されるかまたは一緒に接着接合されるさまざまな材料から形成することができる。また、アッパーは、履物のフィット性を調節し、およびアッパー内の空洞からの足の出し入れを可能にするための、締めひもシステムも組み込んでもよい。
【０００３】
添付図面の図には、いくつかの実施形態が、例としておよび非限定的に図示されている。
【図面の簡単な説明】
【０００４】
【図１】テンショニングシステムを含む履物製品の実施形態の模式図である。
【図２】図１の製品の実施形態の側面模式図である。
【図３】履物製品とともに用いられるテンショニングデバイスの実施形態の模式図である。
【図４】テンショニングデバイスが、ソール構造内に配置されているように見える、図１の製品の模式等角図である。
【図５】締めひもガイドアセンブリを備えた履物製品の実施形態の模式的等角拡大図である。
【図６】下方ガイド部材の実施形態の模式等角図である。
【図７】上方ガイド部材の実施形態の模式等角図である。
【図８】履物製品から切り離して示す締めひもガイドアセンブリの構成要素の実施形態の模式図である。
【図９】図１の履物製品の別の模式等角図である。
【図１０】１つ以上のストラップ部材がアッパーから分解されている、図９の履物製品の模式等角図である。
【図１１】ストラップ部材および弾性バンド部材の実施形態の模式図である。
【図１２】締めひもガイドアセンブリが完全に緩んだ状態になっている履物製品の実施形態の模式図である。
【図１３】製品がアクティブに締め付けられている、図１２の履物製品の模式図である。
【図１４】締め付けられた状態の図１２の履物製品の模式図である。
【図１５】テンショニング部材がリールから繰り出される際の図１２の履物製品の模式図である。
【図１６】複数の弾性バンド部材が、リールからのテンショニング部材の繰り出しを補助するためにテンショニング部材を引き寄せている、図１２の履物製品の模式図である。
【図１７】履物製品が、完全に緩んだ状態に戻っている場合の図１２の履物製品の模式図である。
【図１８】一実施形態例における、履物製品を作るためのフローチャートである。
【発明を実施するための形態】
【０００５】
実施例の方法およびシステムは、ガイドアセンブリを備えた履物テンショニングシステムに関する。実施例は、可能な変形例の典型にすぎない。別途明記されていない限り、構成要素および機能は任意的であり、および組合せてもよく、または細分化してもよく、また、動作は、順序が変わってもよく、または、組合せても、または細分化してもよい。以下の説明では、説明のため、実施形態例の十分な理解をもたらすように、数字を特定した詳細が記載されている。しかし、当業者においては、本発明の主題がそれらの具体的な詳細の各々またはすべてを要せずとも実施できることは明白であろう。
【０００６】
従来、履物製品の締めひもシステムは、ひも穴または他の締めひもチャネルを介して挿通され、および履物製品の着用者により、または、着用者を手伝っている人により、手で張力を掛けられるかまたは締められる、１つ以上の締めひもを含んでいる。その場合、締めひもに対する張力を維持するために、締めひもは、例えば、締めひもの端部を結び合わせることにより、または、機械的要素を用いて締めひもを留めることにより、固定することができる。
【０００７】
このような従来の締めひもシステムは、人によって締めひもに印加される張力ではなく、例えば、モータを利用して締めひもシステムに張力を印加することにより電動化されている締めひもまたは履物テンショニングシステムに用いるには、容易には適合可能にすることができない可能性がある。人は、例えば、締めひもに対する張力の量、力の方向等を、異なる時期に微妙に変化させることにより、張力を適切かつ有効に印加するように特定の方法で締めひもを操作することができる。対照的に、従来のモータは、状況の変化に応じて締めひもに対する張力を微妙に変化させる能力が低い可能性があり、また、一般的には反応が遅い可能性がある。したがって、一般的に、電動式のテンショニングシステムにおいて締めひもに伝えられ得る摩擦力および他の抵抗力は、従来の締めひもシステムを、電動式テンショニングシステムにおいて実現困難または非効率的なものにする可能性がある。
【０００８】
締めひもガイドアセンブリを備えたテンショニングシステムは、自動テンショニングシステムを有する履物用に既に開発されている。その締めひもガイドアセンブリは、履物のアッパーの内側層と外側層との間に配置されている。締めひもは、その締めひもガイドアセンブリの上方ガイド部材と下方ガイド部材との間を通っている。上方ガイド部材は、アッパーのスロート開口部の上を通っているストラップ部材に結合されている。モータによって張力が締めひもに印加されると、その締めひもは上方ガイド部材に力を伝え、次に、該上方ガイド部材がストラップ部材に力を伝え、そのことが、上記空洞内の足の周りでアッパーを締める。また、上方ガイド部材および下方ガイド部材の構成は、ストラップ部材に対して力を一様に分散させてスロート開口部でアッパーを閉じる、締めひも用の比較的低摩擦のアセンブリをもたらす。
【０００９】
図１は、自動テンショニングシステムをさらに含む履物製品１００の模式等角図である。１つの実施形態において、履物製品１００は、運動靴の形態を有している。本願明細書において説明する、自動テンショニングシステムのための装備は、限定するものではないが、バスケットボールシューズ、ハイキングシューズ、サッカーシューズ、フットボールシューズ、テニスシューズ、登山靴、スニーカー、ランニングシューズ、クロストレーニングシューズ、ラグビーシューズ、ローイングシューズ、ベースボールシューズ、ならびにその他の種類のシューズを含む、さまざまな他の種類の履物に組み込むことができる。さらに、いくつかの実施形態では、本願明細書において説明する装備は、限定するものではないが、スリッパ、サンダル、ハイヒール履物およびローファーを含む、さまざまな他の種類の非スポーツ関連の履物に組み込むことができる。図１に示す実施形態では、履物製品１００は、ハイトップスニーカーの形態を有している。
【００１０】
明確にするために、以下の詳細な説明は、単に製品１００とも称されている、履物製品１００の形状構成について説明している。しかし、他の実施形態が、本願明細書に記載されているとともに図面に示されている製品１００の形状構成のうちのいくつかおよび潜在的にはすべてを共用してもよい、対応する履物製品（例えば、製品１００が、右側の履物製品である場合には、左側の履物製品）を組み入れてもよいことは理解されるであろう。
【００１１】
実施形態は、方向を示す形容詞および基準となる部分によって特徴付けることができる。それらの方向性および基準部分は、履物製品の部分の説明を容易にすることができる。さらに、それらの方向性および基準部分は、履物製品のサブコンポーネント（例えば、アッパー、ソール構造または他の任意の構成要素の、方向性および部分または方向性もしくは部分）を説明するのにも用いることができる。
【００１２】
一貫性を保つために、および便宜上、方向性を示す形容詞は、例示されている実施形態に対応するこの詳細な説明の全体を通して使用されている。「長手方向」という用語は、この詳細な説明を通しておよび特許請求の範囲において用いられる場合、構成要素（例えば、アッパーまたはソール構成要素）の長さ方向に延びている方向または軸を指す。いくつかの実施形態では、長手方向は、足先部分から、その構成要素のかかと部分へ延びていてもよい。また、「横方向」という用語は、この詳細な説明を通して、および特許請求の範囲において用いられる場合、構成要素の幅に沿って延びている方向または軸を指す。例えば、横方向は、構成要素の内側側部と外側側部との間に延びていてもよい。さらに、「垂直方向」という用語は、この詳細な説明を通して、および特許請求の範囲において用いられる場合、横方向と長手方向とに対して概して垂直な方向または軸を指す。例えば、製品が地面に平らに置かれている実施形態では、垂直方向は、地面から上方へ延びていてもよい。また、「内側」または「近位」という用語は、製品の内部に近接して、または、その製品が着用されたときに足に近接して配置される、製品の部分を指す。同様に、「外側」または「遠位」という用語は、製品の内部から遠くに、または、足から遠くに配置される、製品の部分を指す。したがって、例えば、構成要素の近位面は、その構成要素の遠位面よりも、その製品の内部に近接して配置されている。この詳細な説明では、製品と、アッパー、ミッドソール構造および／または外側ソール構造を含む製品のさまざまな構成要素とを説明する際に、方向を示すこれらの形容詞を利用している。
【００１３】
製品１００は、多数の異なる領域または部分によって特徴付けることができる。例えば、製品１００は、足先領域と、中足領域と、かかと領域と、バンプ領域と、甲回り領域と、足首領域とを含むことができる。さらに、製品１００の構成要素は、対応する領域または部分を同様に備えることができる。図１を参照すると、製品１００は、足先領域１０と、中足領域１２と、かかと領域１４とに分けることができる。足先領域１０は、つま先と、中足骨と指骨とを接続する関節とに大略的に関連付けることができる。中足領域１２は、足のアーチと大略的に関連付けることができる。同様に、かかと領域１４は、踵骨を含む足のかかとと大略的に関連付けることができる。また、製品１００は、甲回り領域１６および足首領域１８も含んでもよい。
【００１４】
さらに、参照目的のために、製品１００は、外側側部２０および内側側部２２を含んでもよい。具体的には、外側側部２０および内側側部２２は、製品１００の対向する側部とすることができる。さらに、外側側部２０および内側側部２２はともに、足先領域１０と、中足領域１２と、かかと領域１４とを通って延びていてもよい。
【００１５】
製品１００は、アッパー１０２およびソール構造１０６を備えていてもよい。異なる実施形態では、ソール構造１０６は、製品１００のためのトラクションを生成するように構成してもよい。したがって、いくつかの実施形態では、トラクション要素を、ソール構造１０６に含めてもよい。ソール構造１０６は、トラクションを生成することに加えて、ウォーキング、ランニング、プッシングまたは他の歩行活動中に、足と地面との間で圧縮されたときに地面反力を減衰させることができる。ソール構造１０６の構成は、さまざまな従来の構造または非従来的な構造を含むように、異なる実施形態において大幅に変えてもよい。いくつかの実施形態では、ソール構造１０６は、その上でソール構造１０６が用いられる可能性がある一種類以上の面に従って構成することができる。それらの面の実施例は、限定するものではないが、天然芝、人工芝、土、堅木フローリング、水面、木、プレート、踏み板、ボートの進水路および他の面を含む。
【００１６】
ソール構造１０６のさまざまな部分は、さまざまな材料から形成することができる。例えば、ソール構造１０６は、ウォーキング、ランニングまたは他の歩行活動中に、足と地面との間で圧縮されたときに地面反力を減衰させる（すなわち、クッション性を与える）圧縮性ポリマー発泡体要素（例えば、ポリウレタンまたはエチレンビニルアセテート発泡体）を含んでいてもよい。さらなる構成では、ソール構造１０６は、液体充填チャンバ、プレート、モデレータ、または、力をさらに減衰させ、安定性を高め、または、足の動きに影響を与える他の要素を組み込んでもよい。さらに、アウトソール等のソール構造１０６の他の部分は、トラクションを伝えるように表面に質感を持たせた耐摩耗性ゴム材料から形成することができる。本願明細書における実施形態は、ソール構造１０６用の構成を、アッパー１０２とともに用いることができるソール構造の実施例として描写しており、かつ、さまざまな他のソール構造１０６用の従来の構成または非従来的な構成を用いてもよいことを理解すべきである。したがって、ソール構造１０６の、または、アッパー１０２とともに用いる何らかのソール構造の構造および形状構成は、大幅に変わってもよい。
【００１７】
ソール構造１０６は、アッパー１０２に固定され、製品１００が着用されたときに足と地面との間に延びている。異なる実施形態では、ソール構造１０６は、異なる構成要素を含んでいてもよい。例えば、ソール構造１０６は、アウトソールを含んでもよい。例えば、ソール構造１０６は、ミッドソールおよびインソールの両方または一方をさらに含んでもよい。いくつかの実施形態では、これらの構成要素のうちの１つ以上は任意であってもよい。
【００１８】
異なる実施形態では、アッパー１０２は、ソール構造１０６に接合することができ、および着用者の足を収容するように設計された内部空洞を画定することができる。いくつかの実施形態では、アッパー１０２は、アッパー１０２の内部空洞に足がアクセスできるようにする開口部１３０を含んでいる。いくつかの実施形態では、開口部１３０は、足首領域１８に沿ってまたは足首領域の近傍に配置することができる。図１を見て分かるように、１つの実施形態において、アッパー１０２は、ベロ１３２も含んでいる。ベロ１３２は、スロート開口部１３４に当たって（アッパー１０２の甲回り領域１６に沿って）配置することができ、また、ベロ１３２は、スロート開口部１３４を介したアッパー１０２の内部空洞へのアクセスを阻止することができる。また、スロート開口部１３４は、アッパー１０２の第１の側部１３８と第２の側部１３９とを隔離するように見えている可能性もある。
【００１９】
いくつかの実施形態において、製品１００は、締めひも区域１４０を含むことができる。いくつかの実施形態では、締めひも区域１４０は、足先領域１０に隣接する区域までの中足領域１２における足の甲回りに相当する区域を含むスロート開口部１３４と関連付けることができる。締めひも区域１４０は、アッパー１２０の対向する側面の外側締めひも縁部１４３と内側締めひも縁部１４４との間に延びている。
【００２０】
アッパー１０２を足の周りに固定するために、製品１００は、スロート開口部１３４の開閉を容易にする１つ以上の締めひも装備またはテンショニング装備を含んでもよい。いくつかの実施形態は、締めひもまたは他のテンショニング部材が締めひも区域１４０の両縁部に沿ったひも穴または同様の固定装備を介して固定されている、従来の締めひもシステムを利用してもよい。他の実施形態では、製品１００は、他の締めひも装備またはテンショニング装備を含むことができる。いくつかの実施形態では、製品１００は、アッパー１０２を足の周りに自動的に締め付けることおよび足の周りで緩めることを容易にするテンショニング装備を含むことができる。
【００２１】
この実施形態では、複数のストラップ部材１４６（または、単純にストラップ部材１４６）が、締めひも区域１４０の部分にわたって延びている。複数のストラップ部材１４６は、（以下で詳細に記載されている）テンショニングシステムの他の装備とともに、足の一部に合わせるために、着用者がアッパー１０２の寸法を変更することを支援する。例示的な実施形態においては、複数のストラップ部材１４６は、外側縁部１４３と内側縁部１４４との間の締めひも区域１４０を横切って横方向に延びている。以下でさらに説明されているように、テンショニングシステムの複数のストラップ部材１４６およびテンショニング部材は、着用者が、足の周りでアッパー１０２を締め付けること、および内部空洞からの（すなわち、スロート開口部１３４を介した）足の出し入れを容易にするようにアッパー１０２を緩めることを可能にする。
【００２２】
いくつかの実施形態において、ベロ１３２は、製品１００の快適性を高めるために、製品１００内に設ける場合、着用者の足を覆って延びている。この実施形態では、ベロ１３２は、締めひも区域１４０を通って延び、およびアッパー１０２の対向する外側縁部１４３と内側縁部１４４との間の開口部内で動くことができる。場合により、ベロ１３２は、クッション性をもたらし、および着用者の足の上部に当たって締めひもまたは複数のストラップ部材１４６によって印加される張力を分散させるように、締めひもおよび／または複数のストラップ部材１４６間に延びることができる。ベロ１３２は、この構成を用いて、製品１００の快適性を高めることができる。
【００２３】
いくつかの実施形態は、着用者の足の周りで製品を締め付けることおよび緩めることの両方または一方を含む、着用者の足に対する製品の調節を容易にするための装備を含んでもよい。いくつかの実施形態では、それらの装備は、テンショニングシステムを含んでもよい。いくつかの実施形態では、テンショニングシステムは、限定するものではないが、テンショニング部材、締めひもガイド、テンショニングアセンブリ、ハウジングユニット、モータ、ギア、スプールまたはリール、および／または電源を含む、その他の構成要素をさらに含んでいてもよい。このような構成要素は、固定すること、張力を調節すること、およびカスタマイズされたフィット性を着用者の足にもたらすことを支援することができる。これらの構成要素については、およびさまざまな実施形態において、それらの構成要素が、製品を着用者の足にどのように固定するのか、張力をどのように調節するのか、およびカスタマイズされたフィット性をどのように与えるのかについては、以下でさらに詳細に説明する。
【００２４】
図２は、製品１００の実施形態の模式側面図である。ここで図２を参照すると、製品１００は、テンショニングシステム２００の例示的な実施形態を含んでいる。テンショニングシステム２００の実施形態は、２０１３年８月２０日に出願された「Ｍｏｔｏｒｉｚｅｄ  Ｔｅｎｓｉｏｎｉｎｇ  Ｓｙｓｔｅｍ」というタイトルのビアーズ（Ｂｅｅｒｓ）らによる米国特許出願公開第２０１４／００６８８３８号明細書（米国特許出願第１４／０１４４９１号）、２０１３年８月２０日に出願された「Ｍｏｔｏｒｉｚｅｄ  Ｔｅｎｓｉｏｎｉｎｇ  Ｓｙｓｔｅｍ  ｗｉｔｈ  Ｓｅｎｓｏｒｓ」というタイトルのビアーズ（Ｂｅｅｒｓ）による米国特許出願公開第２０１４／００７００４２号明細書（米国特許出願第１４／０１４５５５号）、および２０１３年９月２０日に出願された「Ｆｏｏｔｗｅａｒ  Ｈａｖｉｎｇ  Ｒｅｍｏｖａｂｌｅ  Ｍｏｔｏｒｉｚｅｄ  Ａｄｊｕｓｔｍｅｎｔ  Ｓｙｓｔｅｍ」というタイトルのビアーズ（Ｂｅｅｒｓ）による米国特許出願公開第２０１４／００８２９６３号明細書（米国特許出願第１４／０３２５２４号）のうちの１つ以上において開示されているシステム、構成要素、形状構成または要素のいずれかの組み込みを含む何らかの適切なテンショニングシステムを含んでいてもよく、これらの出願は、参照によってそれら全体（本願明細書においては、まとめて「自動締めひもケース」と呼ぶ）が本願明細書に組み込まれるものとする。
【００２５】
明確にするために、テンショニングシステム２００のいくつかの構成要素またはサブシステムは、製品１００におけるそれら各々の位置および互いの関係の理解を容易にするために、図２に大略的に図示されている。図２の実施形態において、製品１００は、テンショニングデバイス２０２を含む。テンショニングデバイス２０２は、テンショニングシステム２００における締めひもまたは他のテンショニング部材の張力を自動的に増減させるための１つ以上の装備を含んでもよい。以下でさらに詳細に説明するように、このような装備は、モータ、締めひもを巻き取るためのスプール、および電源装備（例えば、バッテリ）を含んでもよい。
【００２６】
異なる実施形態では、テンショニングシステムは、テンショニング部材を含んでもよい。「テンショニング部材」という用語は、この詳細な説明を通しておよび特許請求の範囲において用いられる場合、大略的に細長い形状および高い引張強度を有する何らかの構成要素を指す。場合により、テンショニング部材は、概して低い弾性を有することもできる。異なるテンショニング部材の実施例は、締めひも、ケーブル、ストラップおよびコードを含む。場合により、テンショニング部材は、衣類製品および履物製品の両方または一方を含む製品を固定して締め付けるかまたは固定するかもしくは締め付けるのに用いることができる。他の事例では、テンショニング部材は、いくつかの構成要素またはシステムを作動させる目的のために、所定の位置に張力を印加するのに用いてもよい。
【００２７】
図２の実施形態において、製品１００は、テンショニング部材２１０を含んでいる。図２では大略的に示されているテンショニング部材２１０は、締めひも、ケーブル、コード、または、他の何らかの種類のテンショニング部材として構成することができる。図１〜図３の例示的な実施形態において、テンショニング部材２１０は、大略的に円形断面形状を有する締めひもであってもよい。テンショニング部材２１０は、テンショニングデバイス２０２と関連付けることができる（例えば、テンショニング部材２１０は、テンショニングデバイス２０２のスプールに巻き付けることができる）。また、テンショニング部材２１０は、１つ以上または複数のストラップ部材１４６と関連付けることもできる。具体的には、テンショニング部材２１０は、テンショニングデバイス２０２のスプールに巻き付けられる際に、複数のストラップ部材１４６に張力を伝達するように構成することができる。
【００２８】
図３は、テンショニング部材２１０と結合されているテンショニングデバイス２０２の実施形態の模式図である。テンショニングデバイス２０２は、リール部材３００（または、スプール）と、モータ３０２と、電源３０４とを含むことができる。したがって、電源３０４は、モータ３０２に動力を供給して、リール部材３００を回すことができる。いくつかの実施形態では、モータ３０２とリール部材３００は、歯車アセンブリ３０６を用いてさらに結合することができる。
【００２９】
例示的な実施形態において、リール部材３００は、その中心軸、および軸３１２から外側径方向に延びている１つ以上のフランジ３２４に沿って作動する軸３１２を有する、リールまたはスプールである。１つ以上のフランジ３２４は、軸３１２が各フランジの中心内に配置された状態で、大略的に円形または丸みを帯びた形状を有することができる。いくつかの他の実施形態では、中央フランジ（図示せず）は、テンショニングシステム２００が締め付けられるかまたは緩められたときの巻き取りまたは繰り出し中に、テンショニング部材２１０がもつれないように、または、鳥の巣状にならないように、テンショニング部材２１０の巻き取った部分をリール部材３００上で分離して整理した状態を維持することを支援することができる。
【００３０】
いくつかの実施形態において、モータ３０２は、電動モータを含むことができる。しかし、他の実施形態では、モータ３０２は、当技術分野において知られている何らかの種類の非電動モータを備えることができる。使用できる異なるモータの実例は、限定するものではないが、ＤＣモータ（例えば、永久磁石モータ、ブラシ付きＤＣモータ、ブラシレスＤＣモータ、スイッチトリラクタンスモータ等）、ＡＣモータ（例えば、摺動回転子を有するモータ、同期電動モータ、非同期電動モータ、誘導モータ等）、ユニバーサルモータ、ステッピングモータ、圧電モータ、および当技術分野において知られている他の何らかの種類のモータを含む。
【００３１】
モータ３０２は、テンショニングシステムの１つ以上の構成要素を駆動するのに用いることができるクランク軸をさらに含んでもよい。例えば、モータ３０２のクランク軸は、リール部材３００にも結合されている歯車アセンブリ３０６を駆動することができる。リール部材３００は、この構成を用いて、中心軸周りにそれぞれ反対方向に回転されるモータ３０２と連接して配置することができる。
【００３２】
電源３０４は、モータ３０２に動力を供給し、およびモータを制御するように構成されたバッテリおよび制御装置（図示せず）の両方または一方を含んでもよい。電源３０４は、モータ３０２およびテンショニングシステム２００に動力を供給するのに用いることができる、一種類以上のバッテリテクノロジーからなる何らかの適切なバッテリとすることができる。利用できる、１つの可能性のあるバッテリテクノロジーは、リチウムポリマー電池である。該バッテリは、平坦な、円筒形の、またはコイン形状としてパッケージ化された再充電可能または交換可能なユニットとすることができる。さらに、バッテリは、単一のセル、または、直列または並列のセルとすることができる。他の適切なバッテリおよび電源の両方または一方を、電源３０４に用いてもよい。
【００３３】
図示されている実施形態では、リール部材３００、モータ３０２、電源３０４および歯車アセンブリ３０６はすべて、追加的な構成要素、例えば、制御装置または他の要素とともに、テンショニングデバイス２０２内のこれらの構成要素のすべてを収容し、かつ保護するように機能することができるハウジングユニット３１０内に設けられている。しかし、他の実施形態では、これらの構成要素のうちのいずれか１つ以上は、アッパーおよびソール構造の両方または一方を含む、製品の他の任意の部分に設けることができる。
【００３４】
ハウジングユニット３１０は、テンショニング部材２１０が、ハウジングユニット３１０内に入ること、およびリール部材３００に係合することを可能にする開口部３０５を含んでいる。したがって、ハウジングユニット３１０の開口部３０５は、テンショニング部材２１０の第１部材部分３２０および第２部材部分３２２が、ハウジングユニット３１０の内部のリール部材３００に巻き取られることおよび繰り出されることを可能にする。
【００３５】
図２に示されているように、および図４にも示されているように、テンショニングデバイス２０２は、ソール構造１０６内に設けることができる。いくつかの実施形態において、ソール構造１０６は、テンショニングデバイス２０２を収容する空洞または凹部を含んでいてもよい。他の実施形態では、テンショニングデバイス２０２は、製品１００の他の領域内に取り付けることができ、例えば、ハーネスまたは他の装着装備を用いて、アッパー１０２の外部に取り付けられることを含む。
【００３６】
テンショニング部材２１０を、テンショニングデバイス２０２と複数のストラップ部材１４６との間に案内することを容易にするために、製品１００は、締めひもガイドアセンブリとも称されるテンショニング部材ガイドアセンブリも含んでいてもよい。例示するために、図２は、点線を用いて、締めひもガイドアセンブリ区域２２０を強調している。締めひもガイドアセンブリ区域２２０は、アッパー１０２の第１の側部１３８に設けてもよい。少なくともいくつかの実施形態では、締めひもガイドアセンブリの構成要素、およびテンショニング部材の関連する部分は、内部に設けてもよく、また、アッパー１０２の外側面に見えていなくてもよい。例えば、以下で説明するように、少なくともいくつかの実施形態では、締めひもガイドアセンブリの構成要素は、アッパー１０２の内側層と外側層との間に構成され、それによって、ユーザに対して隠される。
【００３７】
また、実施形態は、ソール構造１０６内に固定することができるテンショニングデバイス２０２と、アッパー１０２の一部である締めひもガイドアセンブリ区域２２０との間のテンショニング部材２１０の部分の通過を容易にする装備も含むことができる。この目的のために、および次に図３、図４を参照すると、テンショニングシステム２００のいくつかの実施形態は、第１のガイドチューブ２３０および第２のガイドチューブ２３２を含んでもよい。第１のガイドチューブ２３０および第２のガイドチューブ２３２は、ソール構造１０６内にかつソール構造１０６とアッパー１０２との間に、または、ソール構造１０６内にもしくはソール構造１０６とアッパー１０２との間に備え付けることができ、および、テンショニングデバイス２０２から、締めひもガイドアセンブリ区域２２０内に設けられたテンショニングシステム２００の要素まで、テンショニング部材２１０の部分を案内することを補助することができる。このようにして、第１のガイドチューブ２３０および第２のガイドチューブ２３２は、ソール構造１０６から締めひもガイドアセンブリ区域２２０まで通る際のテンショニング部材２１０の経路の制御を補助することができ、また、テンショニング部材２１０と、（アッパー１０２とソール構造１０６とが付着されている箇所に隣接する）ソール構造１０６およびアッパー１０２の両方または一方との間の摩擦の低減を補助することもできる。
【００３８】
図５は、締めひもガイドアセンブリ領域２２０内のアッパー１０２の外側層１１０の一部が剥がされて、締めひもガイドアセンブリ４００の構成要素が露わにされている、製品１００の一部の模式等角図である。図５を参照すると、締めひもガイドアセンブリ４００は、下方ガイド部材４１０と、第１の上方ガイド部材４３０と、第２の上方ガイド部材４５０とを含む。
【００３９】
図６は、分離して示す下方ガイド部材４１０の実施形態の模式等角図である。ここで、図６を参照すると、下方ガイド部材４１０は、下方ベース部４１２で構成されている。下方ベース部４１２は、下方ベース外側面４１３と、反対側の下方ベース内側面（図示せず）とによって特徴付けることができる。第１の下方ガイドチャネル４１４、第２の下方ガイドチャネル４１６および第３のガイドチャネル４１８は、すべて下方ベース部４１２の下方ベース外側面４１３から延びている。
【００４０】
異なる実施形態では、各下方ガイドチャネルの方向は、変わる可能性がある。図６を見て分かるように、第１の下方ガイドチャネル４１４は、下方ガイド部材４１０の幅を横切って延びていてもよい。同様に、第３の下方ガイドチャネル４１８は、下方ガイド部材４１０の幅を横切って延びていてもよい。対照的に、第２の下方ガイドチャネル４１６は、下方ガイド部材４１０の長さ方向に延びていてもよい。例示的な実施形態において、下方ガイド部材４１０は、幅４２２よりも長い長さ４２０を有している（どちらも、その厚さより大きい）。また、第２の下方ガイドチャネル４１６は、第１の下方ガイドチャネル４１４および第３の下方ガイドチャネル４１８の両方よりも大きい長さを有している。
【００４１】
図７は、分離して示す第１の上方ガイド部材４３０の実施形態の模式等角図である。ここで、図７を参照すると、第１の上方ガイド部材４３０は、上方ベース部４３２で構成されている。上方ベース部４３２は、上方ベース外側面４３３と、反対側の上方ベース内側面（図示せず）とによって特徴付けることができる。上方ガイドチャネル４３４は、第１の上方ガイド部材４３０の上方ベース外側面４３３から延びている。図７の実施形態では、上方ガイドチャネル４３４は、第１の上方ガイド部材４３０の共通下方縁部４４８に設けられている上方ガイドチャネル４３４の第１の端部４４４および第２の端部４４６とともに、アーチ形状を有している。しかし、他の実施形態では、上方ガイドチャネル４３４は、直線状のチャネル形状および／または非直線状のチャネル形状の両方を含む、任意の他の形状を有することができる。
【００４２】
図５に示す第２の上方ガイド部材４５０を、少なくともいくつかの実施形態では、第１の上方ガイド部材４３０と同様の方法で構成できることは理解することができる。具体的には、第２の上方ガイド部材４５０は、対応するベース部および上方ガイドチャネルを含むことができる。
【００４３】
異なる実施形態では、各ガイドチャネルの形状は、変わることができる。いくつかの実施形態では、ガイドチャネルは、開チャネルまたは溝状の構造を有していてもよい。他の実施形態では、ガイドチャネルは、閉チャネルまたはトンネル状の構造を有していてもよい。図６の拡大断面図を見て分かるように、第１の下方ガイドチャネル４１４は、閉じた管状の断面形態を有している。第２の下方ガイドチャネル４１６および第３の下方ガイドチャネル４１８が、いくつかの実施形態において、同様の閉じた管状の断面形態を有していてもよいことは理解することができる。また、図７に示すように、上方ガイドチャネル４３４は、上方ガイドチャネルが閉じたトンネル構造を有している第１の端部および第２の端部の箇所を除いて、開口したチャネル構造を有している。同様に、第２の上方ガイド部材４５０が、図５〜図７の例示的な実施形態において、上方ガイドチャネル４３４のチャネル形態と同様のチャネル形態を有していることは理解することができる。
【００４４】
１つ以上のガイドチャネルの直径は変えることができるが、それらは、一般的に、テンショニング部材の区画に容易に適合するように選択することができる。したがって、各ガイドチャネルの具体的な直径または最小直径は、そのシステムに用いられる締めひもまたはコードの直径に依存する可能性がある（逆もまた同様である）。
【００４５】
一般に、締めひもガイドアセンブリ４００の各ガイドチャネルのサイズ、形状および方向は、足の周りで製品１００を開く、閉じる、および徐々に締め付けるためのスムーズかつ正確な制御を実行できるように張力を分散させるテンショニング部材用の特定の構成または経路を実現するように選択することができる。したがって、１つ以上のガイドチャネルのサイズ、形状および／または方向は、張力が直接的に製品１００内に印加される位置を変更するために、テンショニング部材用の他の所望の経路を実現するように変えることができることは正しく認識することができる。
【００４６】
ガイド部材アセンブリは、アッパーの側部内に形成されたポケット、ギャップ、キャビティまたは空洞内に取り付けることができる。ここで、図５を参照すると、締めひもガイドアセンブリ４００は、内部キャビティ１０９における外側層１１０と内側層１１２との間に配置することができ、それによって視界から隠すことができる。さらに、下方ガイド部材４１０は、アッパー１０２とソール構造１０６とが付着されている箇所に隣接する領域（例えば、アッパー１０２の下方周縁部またはソール構造１０６の上方周縁部）において、製品１００上に設けることができる。少なくともいくつかの実施形態では、下方ガイド部材４１０は、下方ガイド部材４１０の何らかの部分が製品１００の噛合線（ｂｉｔｅ  ｌｉｎｅ）より下にあり、それに伴って、ソール構造１０６によって一部が隠されるように取り付けることができる。また、下方ガイド部材４１０は、アッパー１０２の内側層１１２の外側に向いている面１１３に直接付着させてもよい。少なくともいくつかの実施形態では、下方ガイド部材４１０は、下方ガイド部材４１０の取付け穴４１９を介して挿通することができる縫製を利用して、内側層１１２に固定することができる。あるいは、いくつかの実施形態では、下方ガイド部材４１０は、例えば、接着剤、超音波溶接または他の公知の接着手段を用いて、内側層１１２に直接接着することができる。また、下方ガイド部材４１０は、少なくともいくつかの実施形態においては、内側層１１２に対して定位置に固定されていなくてもよいこと、およびその代わりに、アッパー１０２の外側層１１０と内側層１１２との間に形成された空間（例えば、内部キャビティ１０９）内で浮動できることも意図されている。
【００４７】
図５に示す実施形態では、第１の上方ガイド部材４３０および第２の上方ガイド部材４５０は、複数のストラップ部材１４６に直接付着させてもよい。具体的には、第１のストラップ部材４６０は、第１の上方ガイド部材４３０の第１の上方ベース端部４４０に付着された第１のストラップ端部４６１を有し、第２のストラップ部材４６２は、第１の上方ガイド部材４３０の第２の上方ベース端部４４２に付着された第２のストラップ端部４６３を有している。同様に、第３のストラップ部材４６４および第４のストラップ部材４６６は、それぞれ、第２の上方ガイド部材４５０の一部に付着された端部を有している。したがって、第１の上方ガイド部材４３０および第２の上方ガイド部材４５０は、各上方ガイド部材が、合計で４つのストラップ部材のうちの２つに付着された状態で、複数のストラップ部材１４６に直接結合されている。
【００４８】
例示的な実施形態において、第１の上方ガイド部材４３０および第２の上方ガイド部材４５０は、下方ガイド部材４１０よりもスロート開口部１３４により近く、スロート開口部１３４に対して設けられている。この構成は、第１の上方ガイド部材４３０および第２の上方ガイド部材４５０が、下方ガイド部材４１０に引っ張られて近づく際に、複数のストラップ部材１４６が甲回り領域１６を横切ってきつく引っ張られて、アッパー１０２を締め付けることを確実にする。
【００４９】
いくつかの実施形態は、テンショニング部材が最小限の摩擦で締めひもガイドアセンブリ区域２２０を通ることを補助する装備を含むことができる。図５に示す実施形態では、アッパー１０２の外側層１１０と内側層１１２との間の１つ以上の表面は、低摩擦材料からなっていてもよい。いくつかの実施形態では、外側層１１０の内側に向いている面１１１と、内側層１１２の外側に向いている面１１３はともに、Ｔｅｆｌｏｎ（商標）等の低摩擦材料のコーティングからなっていてもよい。さらに、場合により、締めひもガイドアセンブリ４００の１つ以上のガイドチャネルは、実質的に低摩擦の材料で被覆することができ、および／または各ガイド部材は、締めひもガイドアセンブリ４００内に収容されたテンショニング部材に対して実質的に低い摩擦係数を有する材料で形成することができる。
【００５０】
図５を見て分かるように、テンショニング部材２１０は、締めひもガイドアセンブリ４００のさまざまなガイドチャネルを通り、それによって、テンショニングデバイス２０２（図２〜図４を参照）と複数のストラップ部材１４６との間の結合をもたらしている。明確にするために、図８は、本実施形態におけるさまざまな締めひもガイドチャネルを介したテンショニング部材の経路設定を明確にするように、製品１００から分離した締めひもガイドアセンブリ４００の模式図を示す。
【００５１】
ここで、図８を参照すると、テンショニング部材２１０は、第１のセグメント５０２と、第２のセグメント５０４と、第３のセグメント５０６と、第４のセグメント５０８と、第５のセグメント５１０と、第６のセグメント５１２と、第７のセグメント５１４と、第８のセグメント５１６と、第９のセグメント５１８と、第１０のセグメント５２０と、第１１のセグメント５２２とを含むさまざまなセグメントで構成することができる。第１のセグメント５０２は、外側の内部キャビティ１０９から（すなわち、外側層１１０と内側層１１２との間に設けられた領域の外側から）下方ガイド部材４１０の第１の下方ガイドチャネル４１４まで延びている。第２のセグメント５０４は、第１の下方ガイドチャネル４１４を通って延び、第１の下方ガイドチャネル４１４の対向する開口部を通って入ったり出たりする。第３のセグメント５０６は、第１の下方ガイドチャネル４１４から第１の上方ガイド部材４３０の上方ガイドチャネル４３４まで延びている。第４のセグメント５０８は、上方ガイドチャネル４３４を通って延びている。第５のセグメント５１０は、上方ガイドチャネル４３４から下方ガイド部材４１０の第２の下方ガイドチャネル４１６まで延びている。第６のセグメント５１２は、第２の下方ガイドチャネル４１６を通って延び、第２の下方ガイドチャネル４１６の対向する開口部を通って入ったり出たりする。第７のセグメント５１４は、下方ガイドチャネル４１６の第２の下方ガイドチャネル４１６から第２の上方ガイド部材４５０の第２の上方ガイドチャネル４５４まで延びている。第８のセグメント５１６は、第２の上方ガイドチャネル４５４を通って延びている。第９のセグメント５１８は、第２の上方ガイド部材４５０の第２の上方ガイドチャネル４５４から下方ガイド部材４１０の第３の下方ガイドチャネル４１８まで延びている。第１０のセグメント５２０は、第３の下方ガイドチャネル４１８を通って延びている。そして、第１１のセグメント５２２は、第３の下方ガイドチャネル４１８から内部キャビティ１０９の外部の別の位置まで延びている。
【００５２】
テンショニング部材２１０の経路設定構成は、第１の上方ガイド部材４３０および第２の上方ガイド部材４５０が、独立して引っ張られることを可能にしている。この独立した調節は、第１のストラップ部材４６０および第２のストラップ部材４６２の調節を、第３のストラップ部材４６４および第４のストラップ部材４６６の調節とは無関係に可能にし、それによって、アッパー１０２が足の周りで締め付けられる際の快適性およびフィット性を向上させることができる。
【００５３】
各ガイド部材は、複数のストラップ部材１４６が適切に締め付けられることを確実にするように、締めひもガイドアセンブリ区域２２０内に配置することができる。図８を見て分かるように、第１の上方ガイド部材４３０は、製品１００の長手方向軸６００に対して、第１の長手方向位置６０２を有する。第２の上方ガイド部材４５０は、長手方向軸６００に対して、第２の長手方向位置６０４を有する。第１の上方ガイド部材４３０および第２の上方ガイド部材４５０は、距離６０６だけ、離すことまたは離間させることもできる。さらに、下方ガイド部材４１０の少なくとも一部は、長手方向軸６００に沿って第１の長手方向位置６０２から、第２の長手方向位置６０４まで延ばすことができる。このことは、張力を主に、上方ガイド部材と下方ガイド部材４１０との間の方向に向けることを可能にし、および長手方向に向けられる力の傾向の低減を補助することができる。具体的には、２つの上方ガイド部材の長手方向の間隔に及ぶ、十分な剛性の下方ガイド部材４１０の使用は、長手方向におけるアッパーの潰れまたは締付けの防止を補助することができる。
【００５４】
図９および図１０は、それぞれ、製品１００の実施形態の模式等角図および分解等角図を示す。図９を見て分かるように、複数のストラップ部材１４６の各ストラップ部材は、アッパー１０２の第２の側部１３９に取り付けられた端部を含む。換言すると、各ストラップ部材は、締めひもガイドアセンブリ４００を組み込んでいる側部からアッパー１０２の反対側の側部に取り付けられた端部を含んでいる。第１の側部１３８での上方ガイド部材へのストラップ部材の取付けとは対照的に、第２の側部１３９に付着された端部は、定位置に固定して固着または固定して取り付けることができる。このような取付けは、縫製、接着接合、溶接または他の技術を含む、公知の何らかの方法を用いて実現することができる。図９に示すように、第１のストラップ部材４６０の端部６５０は、第２の側部１３９上で、アッパー１０２の内側または外側層に縫い付けられている。
【００５５】
実施形態は、テンショニングデバイスが、そのシステムに張力を印加することを停止した（すなわち、モータが停止して、テンショニング部材を保持しているスプールは、そのテンショニング部材を自由に繰り出すことができる）場合に、足の周りでアッパーを緩めることを容易にする装備を含むことができる。いくつかの実施形態では、製品は、テンショニングデバイスが、張力を直接印加することを停止した場合でも、スプールに巻き取られたテンショニング部材を維持するであろう、システム内のどのような力にも逆らう復元力を生成する、１つ以上の構成要素を組み込むことができる。１つの実施例として、実施形態は、アッパーが締め付けられる際に伸張し、したがって、そのアッパーを締め付けるのに用いられる張力が解放されたときに、応力が印加されていないサイズまで収縮する傾向がある、１つ以上の弾性部材を含むことができる。
【００５６】
図９、図１０を参照すると、製品１００は、複数のストラップ部材１４６と一対一で対応している複数の弾性バンド部材７００を含んでいてもよい。具体的には、複数の弾性バンド部材７００は、第１の弾性バンド部材７０２と、第２の弾性バンド部材７０４と、第３の弾性バンド部材７０６と、第４の弾性バンド部材７０８とを含んでいる。
【００５７】
異なる実施形態では、各弾性バンド部材のサイズおよび形態は、変えることができる。いくつかの実施形態において、各弾性バンド部材は、複数のストラップ部材１４６における対応するストラップと同様のサイズおよび形状を有するように構成されている。しかし、他の実施形態では、１つ以上の弾性バンド部材のサイズおよび形状は、変えることができる。例えば、代替的な実施形態においては、単一の弾性バンドまたは弾性層を用いることができる。このような弾性層は、アッパー１０２の甲回り領域１６の複数のストラップ部材１４６が及んでいる区域と等しい幅を有することができる。さらに別の実施形態では、弾性バンド部材からなる単一のセットを、アッパーを締め付けること、および、張力が解放されたときにテンショニング部材を引き寄せるのを補助することの両方に用いることができる。
【００５８】
図９、図１０に示されているように、各弾性バンド部材は、アッパー１０２の第２の側部１３９に固定的に付着された端部と、第１の側部１３８上で締めひもガイドアセンブリ４００の上方ガイド部材に付着された反対側の端部とを含むことができる。場合により、各弾性バンド部材の端部は、隣接する位置において、複数のストラップ部材１４６の各対応するストラップ部材の端部に固定することができる。
【００５９】
複数の弾性バンド部材７００の弾性バンド部材は、複数のストラップ部材１４６のストラップ部材よりも低い弾性係数を有していてもよい（すなわち、より弾性的であってもよい）。例えば、図１１は、等しい張力が両端部に印加されている状態の、第１のストラップ部材４６０および第１の弾性バンド部材７０２の模式図を示す。明確に図示されているように、第１の弾性バンド部材７０２は、力が印加されている時には細長くなるが、第１のストラップ部材４６０は、長さが実質的に変わらない状態であり、比較的弾性のない材料で形成されている。複数のストラップ部材１４６と複数の弾性バンド部材７００との間の相対的な弾性率を係数に従って変えることができることは、正しく認識することができる。それらの係数は、足の周りでアッパー１０２を適切に締め付けるための所要の張力と、そのシステムに弛みがある場合に、テンショニング部材２１０をスプールから引っ張るのに必要な復元力の量とを含む。
【００６０】
図１２に明確に図示されているように、アッパー１０２の緩んだ状態では、複数のストラップ部材１４６は、弛みにより、甲回り領域１６から上方へ弓なりに曲がっている可能性がある。対照的に、複数の弾性バンド部材７００は、アッパー１０２が緩んでいる場合でも、甲回り領域１６にわたってピンと引っ張られている。このことは、アッパー１０２が締め付けられる際に複数の弾性バンド部材７００が伸張して、再びそのシステムが緩んだ状態に切り換えられて戻る場合に、テンショニングデバイス２０２からテンショニング部材２１０を引っ張ることを補助するのに用いることができる復元力の生成を補助することを、確実にすることができる。
【００６１】
図１２〜図１７は、テンショニングシステム２００が、製品１００を締め付けおよび緩めるように作動される際の製品１００のさまざまな模式図を示す。明確にするために、各図は、テンショニングデバイス２０２の動作と、締めひもガイドアセンブリ４００のさまざまな構成とを関連付けるために、テンショニングデバイス２０２の拡大した模式図を含んでいる。
【００６２】
図１２〜図１４は、製品１００が完全に緩んだ状態９００（図１２）から、完全に締め付けられた状態９０４（図１４）まで動く際の、および中間状態または部分的に締め付けられた状態９０２（図１３）を通過する際の、製品１００の一連の等角図を示す。完全に緩んだ状態９００では、テンショニング部材２１０は、テンショニング部材２１０の第１のセグメント５０２および第１１のセグメント５２２において、正味の張力を受けておらず、そのため、締めひもガイドアセンブリ区域２２０内で静止したままである。テンショニングデバイス２０２が、（モータ３０２を用いて）テンショニング部材２１０をリール部材３００に巻き取り始めると、テンショニング部材２１０をテンショニングデバイス２０２内に引っ張るように、第１のセグメント５０２および第１１のセグメント５２２の両方または一方において正味の張力８００が作用して、締めひもガイドアセンブリ区域２２０内のテンショニング部材２１０の長さが縮小し、これは、図１３を見て分かる。このことは、第１の上方ガイド部材４３０および第２の上方ガイド部材４５０を、下方ガイド部材４１０に向かって引っ張るように作用する。第１の上方ガイド部材４３０および第２の上方ガイド部材４５０が、下方ガイド部材４１０に向かって引っ張られるにつれて、それら自体は、甲回り領域１６を横切る複数のストラップ部材１４６を引っ張り、それによって、スロート開口部１３４とアッパー１０２内の内部空洞とのサイズを縮小させる。
【００６３】
一旦、図１４の完全に締め付けられた状態になると、モータ３０２は、リール部材３００を回転させることを停止する。いくつかの実施形態において、テンショニングデバイス２０２は、そのシステムが、まだ完全に締め付けられた状態になっている間にモータ３０２が停止した場合にリール部材３００が繰り出されないように、リール部材３００を、固定回転位置に自動的にロックする装備を含んでいる。このような装備は、リール部材３００、歯車アセンブリ３０６および／またはモータ３０２と関連付けることができる。
【００６４】
図１５〜図１７は、２つの中間状態または部分的に緩んだ状態（図１５、図１６）を含む、製品１００が、完全に締め付けられた状態９０４から、完全に緩んだ状態９１０（図１７）に戻る際のいくつかの模式図を順に示す。図１５を見て分かるように、少なくともいくつかの実施形態では、緩んでいる製品１００は、駆動モータ３０２により、モータ３０２が製品１００を締め付けるように駆動される方向としての逆方向に進行する。いくつかの実施形態では、製品１００を緩ませることは、リール部材３００を固定回転位置にロックしていた装備を開放することにより進められ、それによって、システム内の他のどこかの張力が、巻かれたテンショニング部材２１０をリール部材３００から繰り出し始めることを可能にしている。
【００６５】
しかし、図１５を見て分かるように、システム内の摩擦力は、リール部材３００から繰り出すことができるテンショニング部材２１０の長さを制限する可能性がある。テンショニング部材２１０がリール部材３００から適切に繰り出され、それに伴って、完全に緩められた場合に製品１００が完全に開かれることを確実にすることを補助するために、そのシステムは、１つ以上の弾性バンド部材によって生成される復元力を利用する。
【００６６】
図１６を見て分かるように、弾性バンド部材７００は、第１の上方ガイド部材４３０または第２の上方ガイド部材４５０に力１０００を印加する。このことは、ガイド部材を下方ガイド部材４１０から引き離して引っ張り、それによって、締めひもガイドアセンブリ区域２２０内のテンショニング部材２１０の長さを増加させる。このことは、スロート開口部１３４を広げて、テンショニング部材２１０をリール部材３００から引っ張り、製品１００を完全に緩んだ状態９１０に戻すことを補助する。
【００６７】
図１８は、実施形態例における、履物製品を作るためのフローチャートである。履物製品は、履物製品１００または他の何らかの適切な履物製品とすることができる。さらに、フローチャートの動作は特定の順で記載されているが、それらの動作は、任意の適切な順で実行してもよく、およびさまざまな動作を、要望通りに含んでも、または省略してもよいことを留意すべきであり、およびそれらのことが強調されている。
【００６８】
１８００において、ソール構造が、アッパーに対して取り付けられ、アッパーが、第１の側部と第２の側部とを含み、第１の側部および第２の側部は、スロート開口部によってアッパーのスロートで離間され、この場合、第１の側部は、それらの間に内部キャビティを形成する内側層と外側層とで構成されている。実施例では、ソール構造とアッパーとが、着用者の足を収容するための内部空洞を形成し、内側層は、外側層と比較して、内部空洞に近い。
【００６９】
１８０２において、下方ガイド部材が、内側層と外側層との間の第１の側部に、およびソール構造の近傍に配置される。実施例では、下方ガイド部材の少なくとも一部は、第１の長手方向位置から長手方向軸に沿って、第２の長手方向位置まで延びている。実施例では、下方ガイド部材は、下方ベース部と、第１の下方ガイドチャネルと、第２の下方ガイドチャネルと、第３の下方ガイドチャネルとを含み、この場合、下方ベース部は、アッパーに直接取り付けられ、第２の下方ガイドチャネルは、下方ガイド部材の設定距離に沿って延び、下方ガイド部材を配置することは、各下方ガイドチャネルを下方ベース部に取り付けることをさらに含む。
【００７０】
１８０４において、第１の上方ガイド部材が、内側層と外側層との間の第１の側部に、および下方ガイド部材よりもスロート開口部の近くに配置される。実施例では、第１の上方ガイド部材は、第１の上方ベース部および第１の上方ガイドチャネルを含む。
【００７１】
１８０６において、第２の上方ガイド部材が、内側層と外側層との間の第１の側部に配置され、および下方ガイド部材よりもスロート開口部の近くに配置される。実施例では、第１の上方ガイド部材は、履物製品の長手方向軸に関する第１の長手方向位置を有し、また、第２の上方ガイド部材は、長手方向軸に関する第２の長手方向位置を有している。実施例では、第２の上方ガイド部材は、第２の上方ベース部および第２の上方ガイドチャネルを含んでいる。
【００７２】
実施例において、１８０２、１８０４および１８０６のうちのいくつかまたはすべては、内部キャビティ内に締めひもガイドアセンブリを配置することを実行できるように組合せてもよく、または置き換えてもよく、締めひもガイドアセンブリは、下方ガイド部材および上方ガイド部材を含み、上方ガイド部材は、複数のストラップ部材に付着されている。
【００７３】
１８０８では、ストラップ部材の第１のセットのストラップ部材は、一方の端部において第２の側部に取り付けられ、また、反対側の端部において第１の上方ガイド部材に取り付けられる。実施例では、ストラップ部材の第１のセットの各ストラップ部材は、一方の端部においてアッパーの第２の側部に取り付けられる。実施例では、ストラップ部材の第１のセットを取り付けることは、ストラップ部材の第１のセットを第１の上方ベース部に直接取り付けることを含む。
【００７４】
１８１０では、ストラップ部材の第２のセットのストラップ部材は、一方の端部において第２の側部に取り付けられ、また、反対側の端部において第２の上方ガイド部材に取り付けられる。実施例では、ストラップ部材のセットの各ストラップ部材は、反対側の端部において上方ガイド部材に取り付けられる。実施例では、ストラップ部材の第２のセットを取り付けることは、ストラップ部材の第２のセットを第２の上方ベース部に直接取り付けることを含む。実施例では、第２の上方ガイド部材は、ストラップ部材の第１および第２のセットの一方または両方（まとめて、ストラップ部材のセット）の１つまたは複数のストラップ部材に取り付けられる。実施例では、動作１８０８および１８１０は、複数のストラップ部材を、アッパーの第１の側部と第２の側部との間に、およびスロート開口部を覆って取り付けることを実行できるように組み合わさる。
【００７５】
１８１２では、テンショニング部材が、下方ガイド部材から第１の上方ガイド部材へ、第１の上方ガイド部材から下方ガイド部材へ戻り、および下方ガイド部材の距離に沿って、第２の上方ガイド部材まで通される。実施例では、テンショニング部材の少なくとも１つのセグメントは、下方ガイド部材から内部キャビティの外部の位置まで通される。実施例において、テンショニング部材を通すことは、テンショニング部材の下方ガイドチャネルセグメントを下方ガイドチャネル内に収容することをさらに含む。実施例において、テンショニング部材を通すことは、テンショニング部材の第１の上方ガイドチャネルセグメントを第１の上方ガイドチャネル内に収容することと、テンショニング部材の第２の上方ガイドチャネルセグメントを第２の上方ガイドチャネル内に収容することとを含む。実施例において、テンショニング部材は、リール部材で始まって下方ガイド部材および上方ガイド部材を通る経路に沿って通される。実施例において、テンショニング部材は、下方ガイド部材および上方ガイド部材を通って延びている。実施例において、張力をテンショニング部材に印加することは、複数のストラップ部材のそれぞれ１つに張力を印加する。
【００７６】
実施例において、テンショニング部材は、第１のセグメントと、第２のセグメントと、第３のセグメントと、第４のセグメントと、第５のセグメントと、第６のセグメントと、第７のセグメントと、第８のセグメントと、第９のセグメントと、第１０のセグメントと、第１１のセグメントとを含み、テンショニング部材を通すことは、第１のセグメントを内部キャビティの外部から下方ガイド部材の第１の下方ガイドチャネルまで延ばすことと、第２のセグメントを第１の下方ガイドチャネルを通して延ばすことと、第３のセグメントを第１の下方ガイドチャネルから第１の上方ガイド部材の第１の上方ガイドチャネルまで延ばすことと、第４のセグメントを第１の上方ガイドチャネルを通して延ばすことと、第５のセグメントを第１の上方ガイドチャネルから下方ガイド部材の第２の下方ガイドチャネルまで延ばすことと、第６のセグメントを第２の下方ガイドチャネルを通して延ばすことと、第７のセグメントを下方ガイド部材の第２の下方ガイドチャネルから第２の上方ガイド部材の第２の上方ガイドチャネルまで延ばすことと、第８のセグメントを第２の上方ガイドチャネルを通して延ばすことと、第９のセグメントを第２の上方ガイド部材の第２の上方ガイドチャネルから下方ガイド部材の第３の下方ガイドチャネルまで延ばすことと、第１０のセグメントを第３の下方ガイドチャネルを通して延ばすことと、第１１のセグメントを第３の下方ガイドチャネルから内部キャビティの外部の位置まで延ばすこととを含む。
【００７７】
１８１４において、テンショニング部材はリール部材に取り付けられ、そのリール部材はモータと結合され、その結果、テンショニング部材は、そのモータを用いてリール部材に巻き取られることができる。実施例において、リール部材は、テンショニングデバイスの構成要素である。実施例において、テンショニングデバイスは、内部キャビティの外側に配置されている。実施例において、テンショニングデバイスは、アッパーの一部に取り付けられている。実施例において、テンショニングデバイスは、ソール構造の中の一部に取り付けられている。実施例において、第１のガイドチューブは、下方ガイド部材からテンショニングデバイスまで延びている。実施例において、第２のガイドチューブは、下方ガイド部材からテンショニングデバイスまで延びている。
【００７８】
１８１６において、弾性バンド部材の第１のセットが、アッパーの第２の側部と第１の上方ガイド部材との間に取り付けられる。
１８１８では、弾性バンド部材の第２のセットが、アッパーの第２の側部と第２の上方ガイド部材との間に取り付けられる。実施例において、弾性バンド部材の第１のセットと弾性バンド部材の第２のセットとにおける各弾性バンドは、ストラップ部材の第１のセットおよびストラップ部材の第２のセットが締め付けられる際に伸張する。実施例において、弾性バンド部材の第１のセットは、第１の上方ガイド部材を下方ガイド部材から離れる方に付勢し、および弾性バンド部材の第２のセットは、第２の上方ガイド部材を下方ガイド部材から離れる方に付勢する。実施例において、弾性バンド部材の第１のセットおよび弾性バンド部材の第２のセットは、弾性バンド部材のセットであり、この場合、弾性バンド部材のセットにおける各弾性バンド部材は、ストラップ部材のセットが締め付けられる際に伸張する。実施例において、弾性バンド部材のセットが、テンショニング部材のセグメントをテンショニングデバイスのリール部材から引っ張ることを補助する。
【００７９】
１８２０では、第１の上方ガイド部材および第２の上方ガイド部材を下方ガイド部材に向かって引っ張るように、張力がテンショニング部材に印加される。第１の上方ガイド部材が下方ガイド部材に向かって動く際に、ストラップ部材の第１のセットが、ストラップ部材の第１のセットに隣接するスロート開口部の一部を締め付け、および、第２の上方ガイド部材が下方ガイド部材に向かって動く際に、ストラップ部材の第２のセットが、ストラップ部材の第２のセットに隣接するスロート開口部の一部を締め付ける。
実施例
実施例１において、履物製品は、第１の側部と第２の側部とを含むアッパーであって、第１の側部および第２の側部は、スロート開口部によってアッパーのスロートにおいて離間され、第１の側部は、それらの間に内部キャビティを形成する内側層と外側層とで構成されているアッパーと、アッパーに対して取り付けられたソール構造と、内側層と外側層との間の第１の側部内にソール構造に近接して配置された下方ガイド部材と、内側層と外側層との間の第１の側部内に下方ガイド部材よりもスロート開口部に近接して配置された第１の上方ガイド部材と、内側層と外側層との間の第１の側部内に下方ガイド部材よりもスロート開口部に近接して配置された第２の上方ガイド部材と、ストラップ部材の第１のセットおよびストラップ部材の第２のセットであって、ストラップ部材の第１のセットは、各々が、一方の端部において第２の側部に取り付けられ、反対側の端部において第１の上方ガイド部材に取り付けられている複数のストラップ部材を含み、ストラップ部材の第２のセットは、各々が、一方の端部において第２の側部に取り付けられ、反対側の端部において第２の上方ガイド部材に取り付けられている複数のストラップ部材を含む、ストラップ部材の第１のセットおよびストラップ部材の第２のセットと、下方ガイド部材から第１の上方ガイド部材まで、および第１の上方ガイド部材から下方ガイド部材まで戻るように通されたテンショニング部材であって、テンショニング部材はさらに、下方ガイド部材の距離に沿って、第２の上方ガイド部材まで、および第２の上方ガイド部材から下方ガイド部材まで戻るように通されているテンショニング部材とを含み、テンショニング部材の少なくとも１つのセグメントは、下方ガイド部材から内部キャビティの外部の位置まで通され、第１の上方ガイド部材は、履物製品の長手方向軸に関する第１の長手方向位置を有し、および第２の上方ガイド部材は、長手方向軸に関する第２の長手方向位置を有し、および下方ガイド部材の少なくとも一部は、第１の長手方向位置から長手方向軸に沿って第２の長手方向位置まで延びている。
【００８０】
実施例２において、実施例１の履物製品は、下方ガイド部材が、下方ベース部と、第１の下方ガイドチャネルと、第２の下方ガイドチャネルと、第３の下方ガイドチャネルとを含み、下方ベース部は、アッパーに直接取り付けられ、第２の下方ガイドチャネルは、下方ガイド部材の設定された前記距離に沿って延び、各下方ガイドチャネルは、下方ベース部に取り付けられるとともにテンショニング部材の下方ガイドチャネルセグメントを収容することを任意選択的にさらに含む。
【００８１】
実施例３において、実施例１および実施例２のいずれか１つまたはそれ以上の履物製品は、第１の上方ガイド部材が、第１の上方ベース部および第１の上方ガイドチャネルを含み、第１の上方ベース部は、ストラップ部材の第１のセットに直接取り付けられ、第１の上方ガイドチャネルは、テンショニング部材の第１の上方ガイドチャネルセグメントを収容し、第２の上方ガイド部材は、第２の上方ベース部および第２の上方ガイドチャネルを含み、第２の上方ベース部は、ストラップ部材の第２のセットに直接取り付けられ、第２の上方ガイドチャネルは、テンショニング部材の第２の上方ガイドチャネルセグメントを収容することを任意選択的にさらに含む。
【００８２】
実施例４において、実施例１〜実施例３のいずれか１つまたはそれ以上の履物製品は、テンショニング部材が、第１のセグメントと、第２のセグメントと、第３のセグメントと、第４のセグメントと、第５のセグメントと、第６のセグメントと、第７のセグメントと、第８のセグメントと、第９のセグメントと、第１０のセグメントと、第１１のセグメントとを含み、第１のセグメントは内部キャビティの外部から下方ガイド部材の第１の下方ガイドチャネルまで延び、第２のセグメントは第１の下方ガイドチャネルを通って延び、第３のセグメントは第１の下方ガイドチャネルから第１の上方ガイド部材の第１の上方ガイドチャネルまで延び、第４のセグメントは第１の上方ガイドチャネルを通って延び、第５のセグメントは第１の上方ガイドチャネルから下方ガイド部材の第２の下方ガイドチャネルまで延び、第６のセグメントは第２の下方ガイドチャネルを通って延び、第７のセグメントは下方ガイド部材の第２の下方ガイドチャネルから第２の上方ガイド部材の第２の上方ガイドチャネルまで延び、第８のセグメントは第２の上方ガイドチャネルを通って延び、第９のセグメントは第２の上方ガイド部材の第２の上方ガイドチャネルから下方ガイド部材の第３の下方ガイドチャネルまで延び、第１０のセグメントは第３の下方ガイドチャネルを通って延び、第１１のセグメントは第３の下方ガイドチャネルから内部キャビティの外部の位置まで延びていることを任意選択的にさらに含む。
【００８３】
実施例５において、実施例１〜実施例４のいずれか１つまたはそれ以上の履物製品は、テンショニング部材に張力を印加することが、第１の上方ガイド部材および第２の上方ガイド部材を下方ガイド部材に向かって引っ張り、第１の上方ガイド部材が下方ガイド部材に向かって動く際に、ストラップ部材の第１のセットが、ストラップ部材の第１のセットに隣接するスロート開口部の一部を締め付け、第２の上方ガイド部材が下方ガイド部材に向かって動く際に、ストラップ部材の第２のセットが、ストラップ部材の第２のセットに隣接するスロート開口部の一部を締め付けることを任意選択的にさらに含む。
【００８４】
実施例６において、実施例１〜実施例５のいずれか１つまたはそれ以上の履物製品は、アッパーの第２の側部から第１の上方ガイド部材まで延びている弾性バンド部材の第１のセットと、アッパーの第２の側部から第２の上方ガイド部材まで延びている弾性バンド部材の第２のセットとを任意選択的にさらに含み、弾性バンド部材の第１のセットおよび弾性バンド部材の第２のセットの各弾性バンドは、ストラップ部材の第１のセットおよびストラップ部材の第２のセットが締め付けられる際に伸張する。
【００８５】
実施例７において、実施例１〜実施例６のいずれか１つまたはそれ以上の履物製品は、弾性バンド部材の第１のセットが、第１の上方ガイド部材を下方ガイド部材から離れる方に付勢し、弾性バンド部材の第２のセットが、第２の上方ガイド部材を下方ガイド部材から離れる方に付勢することを任意選択的にさらに含む。
【００８６】
実施例８において、実施例１〜実施例７のいずれか１つまたはそれ以上の履物製品は、内側層の表面がポリテトラフルオロエチレンからなることを任意選択的にさらに含む。
実施例９において、実施例１〜実施例８のいずれか１つまたはそれ以上の履物製品は、外側層の表面がポリテトラフルオロエチレンからなることを任意選択的にさらに含む。
【００８７】
実施例１０において、履物製品は、第１の側部と第２の側部とを含むアッパーであって、第１の側部および第２の側部は、スロート開口部によってアッパーのスロートに沿って離間され、第１の側部は、内側層と外側層とで構成され、内側層と外側層は、それらの間に内部キャビティを形成している、アッパーと、ソール構造であって、アッパーがソール構造に対して取り付けられているソール構造と、内側層と外側層との間の第１の側部内にソール構造に近接して配置された下方ガイド部材と、内側層と外側層との間の第１の側部内に配置された上方ガイド部材であって、上方ガイド部材が、下方ガイド部材よりもスロート開口部に近接して配置されている上方ガイド部材と、ストラップ部材のセットであって、各ストラップ部材が、一方の端部においてアッパーの第２の側部に取り付けられ、反対側の端部において上方ガイド部材に取り付けられる、ストラップ部材のセットと、テンショニング部材と、テンショニングデバイスであって、モータと、モータと結合されたリール部材であって、テンショニング部材の少なくとも一部はリール部材に取り付けられ且つモータを用いてリール部材に巻き取ることができ、テンショニング部材は、テンショニングデバイスのリール部材から始まって下方ガイド部材および上方ガイド部材を通る経路に沿って通されるリール部材とを備えるテンショニングデバイスとを含む。
【００８８】
実施例１１において、実施例１０の履物製品は、上方ガイド部材が第１の上方ガイド部材であり、履物製品が、ストラップ部材のセットの１つ以上のストラップ部材に取り付けられた第２の上方ガイド部材をさらに含み、第１の上方ガイド部材が、履物製品の長手方向軸に関する第１の長手方向位置を有し、第２の上方ガイド部材が、長手方向軸に関する第２の長手方向位置を有し、下方ガイド部材の少なくとも一部は、第１の長手方向位置から長手方向軸に沿って第２の長手方向位置まで延びていることを任意選択的にさらに含む。
【００８９】
実施例１２において、実施例１０および実施例１１のいずれか１つまたはそれ以上の履物製品は、テンショニングデバイスが、内部キャビティの外部に配設されていることを任意選択的にさらに含む。
【００９０】
実施例１３において、実施例１０〜実施例１２のいずれか１つまたはそれ以上の履物製品は、テンショニングデバイスが、アッパーの一部に取り付けられていることを任意選択的にさらに含む。
【００９１】
実施例１４において、実施例１０〜実施例１３のいずれか１つまたはそれ以上の履物製品は、テンショニングデバイスが、ソール構造の一部内に配設されていることを任意選択的にさらに含む。
【００９２】
実施例１５において、実施例１０〜実施例１４のいずれか１つまたはそれ以上の履物製品は、下方ガイド部材からテンショニングデバイスまで延びている第１のガイドチューブと、下方ガイド部材からテンショニングデバイスまで延びている第２のガイドチューブとを任意選択的にさらに含む。
【００９３】
実施例１６において、実施例１０〜実施例１５のいずれか１つまたはそれ以上の履物製品は、第２の側部から上方ガイド部材まで延びている弾性バンド部材のセットを任意選択的にさらに含み、弾性バンド部材のセットの各弾性バンド部材は、ストラップ部材のセットが締め付けられる際に伸張する。
【００９４】
実施例１７において、実施例１０〜実施例１６のいずれか１つまたはそれ以上の履物製品は、弾性バンド部材のセットが、上方ガイド部材を下方ガイド部材から離れる方に付勢することを任意選択的にさらに含む。
【００９５】
実施例１８において、実施例１０〜実施例１６のいずれか１つまたはそれ以上の履物製品は、弾性バンド部材のセットが、テンショニング部材のセグメントをテンショニングデバイスのリール部材から引っ張ることを補助することを任意選択的にさらに含む。
【００９６】
実施例１９において、履物製品は、スロートと、第１の側部と、スロート開口部によってスロートに沿って第１の側部から離間された第２の側部とを含むアッパーであって、第１の側部は、内側層と、内側層との間に内部キャビティを形成している外側層とで構成されている、アッパーと、ソール構造であって、該ソール構造とアッパーとが、着用者の足を収容するための内部空洞を形成し、内側層は、外側層と比較して内部空洞に近接しているソール構造と、アッパーの第１の側部と第２の側部との間にスロート開口部にわたって取り付けられた複数のストラップ部材と、内部キャビティの内部に配置された締めひもガイドアセンブリであって、該締めひもガイドアセンブリは下方ガイド部材および上方ガイド部材を含み、該上方ガイド部材は複数のストラップ部材に取り付けられる締めひもガイドアセンブリと、下方ガイド部材および上方ガイド部材を通って延びているテンショニング部材とを含み、テンショニング部材に張力を印加することが、複数のストラップ部材のそれぞれ１つに張力を印加する。
【００９７】
実施例２０において、実施例１９の履物製品は、上方ガイド部材が、複数のストラップ部材の第１のサブセットに取り付けられた第１の上方ガイド部材と、第１のサブセットとは異なる複数のストラップ部材の第２のサブセットに取り付けられた第２の上方ガイド部材とを備えることを任意選択的にさらに含む。
【００９８】
実施例２１において、実施例１９および実施例２０のいずれか１つまたはそれ以上の履物製品は、テンショニング部材に張力を印加することが、第１の上方ガイド部材および第２の上方ガイド部材を下方ガイド部材に向かって引っ張り、第１の上方ガイド部材が下方ガイド部材に向かって動く際に、ストラップ部材の第１のセットが、ストラップ部材の第１のセットに隣接するスロート開口部の一部を締め付け、第２の上方ガイド部材が下方ガイド部材に向かって動く際に、ストラップ部材の第２のセットが、ストラップ部材の第２のセットに隣接するスロート開口部の一部を締め付けることを任意選択的にさらに含む。
【００９９】
実施例２２において、実施例１９〜実施例２１のいずれか１つまたはそれ以上の履物製品は、第１の上方ガイド部材が、履物製品の長手方向軸に関する第１の長手方向位置を有し、第２の上方ガイド部材が、長手方向軸に関する第２の長手方向位置を有し、下方ガイド部材の少なくとも一部が、第１の長手方向位置から長手方向軸に沿って第２の長手方向位置まで延びていることを任意選択的にさらに含む。
【０１００】
実施例２３において、実施例１９〜実施例２２のいずれか１つまたはそれ以上の履物製品は、下方ガイド部材が、下方ベース部と、第１の下方ガイドチャネルと、第２の下方ガイドチャネルと、第３の下方ガイドチャネルとを備え、下方ベース部がアッパーに直接取り付けられ、第２の下方ガイドチャネルが、下方ガイド部材の設定された長手方向距離に沿って延び、各下方ガイドチャネルが、下方ベース部に取り付けられるとともにテンショニング部材の下方ガイドチャネルセグメントを収容することを任意選択的にさらに含む。
【０１０１】
実施例２４において、実施例１９〜実施例２３のいずれか１つまたはそれ以上の履物製品は、アッパーの第２の側部から第１の上方ガイド部材まで延びている弾性バンド部材の第１のセットと、アッパーの第２の側部から第２の上方ガイド部材まで延びている弾性バンド部材の第２のセットとを任意選択的にさらに含み、弾性バンド部材の第１のセット内および弾性バンド部材の第２のセット内の各弾性バンドは、ストラップ部材の第１のセットおよびストラップ部材の第２のセットが締め付けられる際に伸張する。
【０１０２】
実施例２５において、実施例１９〜実施例２４のいずれか１つまたはそれ以上の履物製品は、弾性バンド部材の第１のセットが、第１の上方ガイド部材を下方ガイド部材から離れる方に付勢し、弾性バンド部材の第２のセットが、第２の上方ガイド部材を下方ガイド部材から離れる方に付勢することを任意選択的にさらに含む。
【０１０３】
実施例２６において、方法は、アッパーに対してソール構造を取り付けることであって、アッパーは第１の側部と第２の側部とを含み、第１の側部および第２の側部はスロート開口部によってアッパーのスロートにおいて離間され、第１の側部は、それらの間に内部キャビティを形成する内側層と外側層とで構成されることと、内側層と外側層との間の第１の側部内にソール構造に近接して下方ガイド部材を配置することと、内側層と外側層との間の第１の側部内に下方ガイド部材よりもスロート開口部に近接して、第１の上方ガイド部材を配置することと、内側層と外側層との間の第１の側部内に下方ガイド部材よりもスロート開口部に近接して、第２の上方ガイド部材を配置することと、ストラップ部材の第１のセットのストラップ部材を、一方の端部において第２の側部に取り付け、反対側の端部において第１の上方ガイド部材に取り付けることと、ストラップ部材の第２のセットのストラップ部材を、一方の端部において第２の側部に取り付け、反対側の端部において第２の上方ガイド部材に取り付けることと、テンショニング部材を、下方ガイド部材から第１の上方ガイド部材まで通し、第１の上方ガイド部材から下方ガイド部材に戻して下方ガイド部材の距離に沿わせ、第２の上方ガイド部材まで通し、第２の上方ガイド部材から下方ガイド部材へ戻すように通すこととを含み、テンショニング部材の少なくとも１つのセグメントが、下方ガイド部材から内部キャビティの外部の位置まで通され、第１の上方ガイド部材が、履物製品の長手方向軸に関する第１の長手方向位置を有し、および第２の上方ガイド部材が、長手方向軸に関する第２の長手方向位置を有し、下方ガイド部材の少なくとも一部が、第１の長手方向位置から長手方向軸に沿って第２の長手方向位置まで延びている。
【０１０４】
実施例２７において、実施例２６の方法は、下方ガイド部材が、下方ベース部と、第１の下方ガイドチャネルと、第２の下方ガイドチャネルと、第３の下方ガイドチャネルとを含み、下方ベース部はアッパーに直接取り付けられ、第２の下方ガイドチャネルは下方ガイド部材の設定された前記距離に沿って延び、下方ガイド部材を配置することが、各下方ガイドチャネルを下方ベース部に取り付けることをさらに含み、テンショニング部材を通すことが、テンショニング部材の下方ガイドチャネルセグメントを下方ガイドチャネル内に収容することをさらに含むことを任意選択的にさらに含む。
【０１０５】
実施例２８において、実施例２６および実施例２７のいずれか１つまたはそれ以上の方法は、第１の上方ガイド部材は第１の上方ベース部と第１の上方ガイドチャネルとを含み、ストラップ部材の第１のセットを取り付けることはストラップ部材の第１のセットを第１の上方ベース部に直接取り付けることを含み、テンショニング部材を通すことはテンショニング部材の第１の上方ガイドチャネルセグメントを第１の上方ガイドチャネル内に収容することを含み、第２の上方ガイド部材は第２の上方ベース部と第２の上方ガイドチャネルとを含み、ストラップ部材の第２のセットを固定することはストラップ部材の第２のセットを第２の上方ベース部に直接取り付けることを含み、テンショニング部材を通すことが、テンショニング部材の第２のガイドチャネルセグメントを第２の上方ガイドチャネルに収容することを含むことを任意選択的にさらに含む。
【０１０６】
実施例２９において、実施例２６〜実施例２８のいずれか１つまたはそれ以上の方法は、テンショニング部材が、第１のセグメントと、第２のセグメントと、第３のセグメントと、第４のセグメントと、第５のセグメントと、第６のセグメントと、第７のセグメントと、第８のセグメントと、第９のセグメントと、第１０のセグメントと、第１１のセグメントとを任意選択的にさらに含み、テンショニング部材を通すことが、第１のセグメントを内部キャビティの外部から下方ガイド部材の第１の下方ガイドチャネルまで延ばすことと、第２のセグメントを第１の下方ガイドチャネルを通して延ばすことと、第３のセグメントを第１の下方ガイドチャネルから第１の上方ガイド部材の第１の上方ガイドチャネルまで延ばすことと、第４のセグメントを第１の上方ガイドチャネルを通して延ばすことと、第５のセグメントを第１の上方ガイドチャネルから下方ガイド部材の第２の下方ガイドチャネルまで延ばすことと、第６のセグメントを第２の下方ガイドチャネルを通して延ばすことと、第７のセグメントを下方ガイド部材の第２の下方ガイドチャネルから第２の上方ガイド部材の第２の上方ガイドチャネルまで延ばすことと、第８のセグメントを第２の上方ガイドチャネルを通して延ばすことと、第９のセグメントを第２の上方ガイド部材の第２の上方ガイドチャネルから下方ガイド部材の第３の下方ガイドチャネルまで延ばすことと、第１０のセグメントを第３の下方ガイドチャネルを通して延ばすことと、第１１のセグメントを第３の下方ガイドチャネルから内部キャビティの外部の位置まで延ばすこととを含む。
【０１０７】
実施例３０において、実施例２６〜実施例２９のいずれか１つまたはそれ以上の方法は、第１の上方ガイド部材および第２の上方ガイド部材を下方ガイド部材に向けて引っ張るように、テンショニング部材に張力を印加することを任意選択的にさらに含み、第１の上方ガイド部材が下方ガイド部材に向かって動く際に、ストラップ部材の第１のセットが、ストラップ部材の第１のセットに隣接するスロート開口部の一部を締め付け、第２の上方ガイド部材が下方ガイド部材に向かって動く際に、ストラップ部材の第２のセットが、ストラップ部材の第２のセットに隣接するスロート開口部の一部を締め付ける。
【０１０８】
実施例３１において、実施例２６〜実施例３０のいずれか１つまたはそれ以上の方法は、弾性バンド部材の第１のセットを、アッパーの第２の側部と第１の上方ガイド部材との間に取り付けることと、弾性バンド部材の第２のセットを、アッパーの第２の側部と第２の上方ガイド部材との間に取り付けることとを任意選択的にさらに含み、弾性バンド部材の第１のセット内および弾性バンド部材の第２のセット内の各弾性バンドは、ストラップ部材の第１のセットおよびストラップ部材の第２のセットが締め付けられる際に伸張する。
【０１０９】
実施例３２において、実施例２６〜実施例３１のいずれか１つまたはそれ以上の方法は、弾性バンド部材の第１のセットが、第１の上方ガイド部材を下方ガイド部材から離れる方に付勢し、弾性バンド部材の第２のセットが、第２の上方ガイド部材を下方ガイド部材から離れる方に付勢することを任意選択的にさらに含む。
【０１１０】
実施例３３において、方法は、アッパーに対してソール構造を取り付けることであって、アッパーは第１の側部と第２の側部とを含み、第１の側部および第２の側部はスロート開口部によってアッパーのスロートに沿って離間され、第１の側部は内側層と外側層とで構成され、内側層と外側層とはそれらの間に内部キャビティを形成していることと、下方ガイド部材を、内側層と外側層との間の第１の側部内にソール構造に近接して配置することと、上方ガイド部材を、内側層と外側層との間の第１の側部内に配置することであって、上方ガイド部材が下方ガイド部材よりもスロート開口部に近接して配置されることと、ストラップ部材のセットの各ストラップ部材を、一方の端部においてアッパーの第２の側部に取り付けることと、ストラップ部材のセットの各ストラップ部材を、反対側の端部において上方ガイド部材に取り付けることと、モータを用いてテンショニング部材をリール部材に巻き取ることができるように、テンショニング部材をモータに結合されたリール部材に取り付けることと、テンショニング部材を、リール部材で始まって下方ガイド部材および上方ガイド部材を通る経路に沿って通すこととを含む。
【０１１１】
実施例３４において、実施例３３の方法は、上方ガイド部材が第１の上方ガイド部材であり、第２の上方ガイド部材を、ストラップ部材のセットの１つ以上のストラップ部材に取り付けることさらに含み、第１の上方ガイド部材が、履物製品の長手方向軸に関する第１の長手方向位置を有し、第２の上方ガイド部材が、長手方向軸に関する第２の長手方向位置を有し、下方ガイド部材の少なくとも一部が、第１の長手方向位置から長手方向軸に沿って第２の長手方向位置まで延びていることを任意選択的にさらに含む。
【０１１２】
実施例３５において、実施例３３および実施例３４のいずれか１つまたはそれ以上の方法は、リール部材及びモータはテンショニングデバイスの構成要素であり、テンショニングデバイスを内部キャビティの外部に配置することをさらに含むことを任意選択的にさらに含む。
【０１１３】
実施例３６において、実施例３３〜実施例３５のいずれか１つまたはそれ以上の方法は、リール部材及びモータはテンショニングデバイスの構成要素であり、テンショニングデバイスをアッパーの一部に取り付けることをさらに含むことを任意選択的にさらに含む。
【０１１４】
実施例３７において、実施例３３〜実施例３６のいずれか１つまたはそれ以上の方法は、リール部材及びモータはテンショニングデバイスの構成要素であり、テンショニングデバイスを、ソール構造の一部内に取り付けることをさらに含むことを任意選択的にさらに含む。
【０１１５】
実施例３８において、実施例３３〜実施例３７のいずれか１つまたはそれ以上の方法は、リール部材及びモータはテンショニングデバイスの構成要素であり、第１のガイドチューブを下方ガイド部材からテンショニングデバイスまで延ばすことと、第２のガイドチューブを下方ガイド部材からテンショニングデバイスまで延ばすこととをさらに含むことを任意選択的にさらに含む。
【０１１６】
実施例３９において、実施例３３〜実施例３８のいずれか１つまたはそれ以上の方法は、弾性バンド部材のセットを第２の側部から上方ガイド部材まで延ばすことを含み、弾性バンド部材のセットの各弾性バンド部材は、ストラップ部材のセットが締め付けられる際に伸張することを任意選択的にさらに含む。
【０１１７】
実施例４０において、実施例３３〜実施例３９のいずれか１つまたはそれ以上の方法は、弾性バンド部材のセットが、上方ガイド部材を下方ガイド部材から離れる方に付勢することを任意選択的にさらに含む。
【０１１８】
実施例４１において、実施例３３〜実施例４０のいずれか１つまたはそれ以上の方法は、弾性バンド部材のセットが、テンショニング部材のセグメントをテンショニングデバイスのリール部材から引っ張ることを補助することを任意選択的にさらに含む。
【０１１９】
実施例４２において、方法は、ソール構造をアッパーに取り付けることであって、アッパーが、スロートと、第１の側部と、スロート開口部によってスロートに沿って第１の側部から離間された第２の側部とを含み、第１の側部は、内側層と外側層とで構成され、内側層と外側層が、それらの間に内部キャビティを形成し、ソール構造とアッパーとが、着用者の足を収容するための内部空洞を形成し、内側層が、外側層と比較して内部空洞に近接している、取り付けることと、複数のストラップ部材を、アッパーの第１の側部と第２の側部との間に、およびスロート開口部を覆って取り付けることと、締めひもガイドアセンブリを内部キャビティの内部に配置することであって、締めひもガイドアセンブリが、下方ガイド部材および上方ガイド部材を含み、上方ガイド部材は、複数のストラップ部材に取り付けられることと、テンショニング部材を下方ガイド部材および上方ガイド部材を通して延ばすこととを含み、張力をテンショニング部材に印加することは、複数のストラップ部材のそれぞれ１つに張力を印加する。
【０１２０】
実施例４３において、実施例４２の方法は、締めひもガイドアセンブリを配置することが、上方ガイド部材の第１の上方ガイド部材を、複数のストラップ部材の第１のサブセットに取り付けることと、上方ガイド部材の第２の上方ガイド部材を、第１のサブセットとは異なる複数のストラップ部材の第２のサブセットに取り付けることとをさらに含むことを任意選択的にさらに含む。
【０１２１】
実施例４４において、実施例４２および実施例４３のいずれか１つまたはそれ以上の方法は、第１の上方ガイド部材を取り付けることは、第１の上方ガイド部材を、履物製品の長手方向軸に関する第１の長手方向位置に取り付けし、第２の上方ガイド部材を取り付けることは、第２の上方ガイド部材を、長手方向軸に関する第２の長手方向位置に取り付けし、下方ガイド部材の少なくとも一部は、第１の長手方向位置から長手方向軸に沿って第２の長手方向位置まで延びていることを任意選択的にさらに含む。
【０１２２】
実施例４５において、実施例４２〜実施例４４のいずれか１つまたはそれ以上の方法は、下方ガイド部材が、下方ベース部と、第１の下方ガイドチャネルと、第２の下方ガイドチャネルと、第３の下方ガイドチャネルとを備え、締めひもガイドアセンブリを配置することが、下方ベース部をアッパーに直接取り付けることと、第２の下方ガイドチャネルを、下方ガイド部材の設定された長手方向距離に沿って延ばすことと、各下方ガイドチャネルを下方ベース部に取り付けることとをさらに含み、テンショニング部材を延ばすことが、各下方ガイドチャネル内に、テンショニング部材の下方ガイドチャネルセグメントを収容することをさらに含むことを任意選択的にさらに含む。
【０１２３】
実施例４６において、実施例４２〜実施例４５のいずれか１つまたはそれ以上の方法は、弾性バンド部材の第１のセットを、アッパーの第２の側部から第１の上方ガイド部材まで延ばし、および弾性バンド部材の第２のセットを、アッパーの第２の側部から第２の上方ガイド部材まで延ばすことを任意選択的にさらに含み、弾性バンド部材の第１のセット内および弾性バンド部材の第２のセット内の各弾性バンドは、ストラップ部材の第１のセットおよびストラップ部材の第２のセットが締め付けられる際に伸張する。
【０１２４】
実施例４７において、実施例４２〜実施例４６のいずれか１つまたはそれ以上の方法は、弾性バンド部材の第１のセットが、第１の上方ガイド部材を下方ガイド部材から離れる方に付勢し、弾性バンド部材の第２のセットが、第２の上方ガイド部材を下方ガイド部材から離れる方に付勢することを任意選択的にさらに含む。
【０１２５】
さまざまな実施形態について説明してきたが、その説明は、限定するものではなく、例示することが意図されており、また、当業者には、それらの実施形態の範囲内にある、より多くの実施形態および実施態様が可能であることは明白であろう。どの実施形態のどの形状構成も、明確に限定されていない限り、他のいずれかの実施形態における他の何らかの形状構成または要素とともに用いてもよく、または、それらの形状構成または要素の代わりとしてもよい。したがって、実施形態は、添付の特許請求の範囲およびその均等物に鑑みる場合を除き制限されるべきではない。また、さまざまな修正および変更が、添付の特許請求の範囲内でなされてもよい。
【図１】
2019509823.tif 000003
【図２】
2019509823.tif 000004
【図３】
2019509823.tif 000005
【図４】
2019509823.tif 000006
【図５】
2019509823.tif 000007
【図６】
2019509823.tif 000008
【図７】
2019509823.tif 000009
【図８】
2019509823.tif 000010
【図９】
2019509823.tif 000011
【図１０】
2019509823.tif 000012
【図１１】
2019509823.tif 000013
【図１２】
2019509823.tif 000014
【図１３】
2019509823.tif 000015
【図１４】
2019509823.tif 000016
【図１５】
2019509823.tif 000017
【図１６】
2019509823.tif 000018
【図１７】
2019509823.tif 000019
【図１８】
2019509823.tif 000020
【国際調査報告】
2019509823.tif 000021
2019509823.tif 000022
2019509823.tif 000023